(57)【要約】【課題】冷却する部品を集結して効率よく冷却することができる蓄電池システムを提供する。【解決手段】蓄電池盤７は、充電と放電を繰り返す二次電池３８と、二次電池３８を制御するための複数の電気部品を備える。電気部品は、二次電池３８を収容する電池収容部１１４の上方に形成した電気部品収容部１１３に設けられ、当該電気部品を、冷却する第１電気部品１２８と、それ以外の冷却を必要としない第２電気部品１２９とに、電気部品取付板８７を隔てて分けるように配置している。これにより、冷却が必要な第１電気部品１２８のみを、電気部品取付板８７の後側に集中して冷却できる。【選択図】図４
2019079738.tif 000002
【特許請求の範囲】
【請求項１】
充電と放電を繰り返す二次電池と、
前記二次電池を制御するための電気部品と、を備え、
前記電気部品は、前記二次電池の上方または側方に設けられ、
前記電気部品を、冷却する部品とそれ以外の部品とに、壁部を隔てて分けるように配置したことを特徴とする蓄電池システム。
【請求項２】
前記電気部品を冷却するための冷却手段をさらに備え、
前記冷却する部品を前記壁部の後側に配置し、
前記冷却手段を、前記冷却する部品と同一側である前記壁部の後側に配置し、
前記冷却手段は、前記壁部の前面側から取り外しできる構成としたことを特徴とする請求項１記載の蓄電池システム。
【請求項３】
前記冷却する部品が設置される主回路基板組立をさらに備え、
前記主回路基板組立を前記壁部から取り外すと同時に、前記冷却する部品も前記壁部から取り外される構成としたことを特徴とする請求項１または２に記載の蓄電池システム。
【請求項４】
前記主回路基板組立は、前記壁部の前面側から取り外しできる構成としたことを特徴とする請求項３記載の蓄電池システム。
【請求項５】
前記主回路基板組立は第１取付板に設置され、
前記壁部としての第２取付板に、前記冷却する部品を通す開口部を設けたことを特徴とする請求項３または４記載の蓄電池システム。
【請求項６】
前記第２取付板における前記開口部を有する面に、前記第１取付板が面接触していることを特徴とする請求項５記載の蓄電池システム。
【請求項７】
前記第１取付板は、前記第２取付板に係合する係合部を備えることを特徴とする請求項５または６記載の蓄電池システム。
【請求項８】
前記第１取付板は、把持用の持ち手部を備えることを特徴とする請求項７記載の蓄電池システム。
【発明の詳細な説明】
【技術分野】
【０００１】
本発明は、二次電池とこれを制御する電気部品を備えた蓄電池システムに関する。
【背景技術】
【０００２】
一般に、この種の蓄電池システムは特許文献１に示すように、本体となる蓄電池盤の内部で、電子部品を含む充放電制御部が二次電池の上方に設けられ、これらの両者を仕切るための、開口部を備える仕切り用プレートが設けられ、充放電制御部に設けられた冷却する部品としての放熱器を、開口部に対向して冷却手段である冷却ファンの上下方向の風路に設けたものが開示されている。
【先行技術文献】
【特許文献】
【０００３】
【特許文献１】特許第５９９８７１４号公報
【発明の概要】
【発明が解決しようとする課題】
【０００４】
従来の蓄電池システムの構造では、システム稼働時に温度が上昇するために、何らかの冷却が必要な冷却する部品と、それ以外の温度がさほど上昇しない冷却の不要な部品が混在しており、冷却する部品も一箇所にではなく、蓄電池盤の内部で何箇所かに離れて存在している。そのため冷却範囲が広がって、冷却する部品ごとに冷却風路を形成せざるを得ず、冷却風路が複雑化してエアリークなどが発生し、思うように冷却ができない問題があった。また場合によっては、冷却する部品ごとに冷却ファンを必要とし、コストの上昇も招いていた。
【０００５】
本発明は上記問題点に鑑み、冷却する部品を集結して効率よく冷却することができる蓄電池システムを提供することをその目的とする。
【課題を解決するための手段】
【０００６】
本発明の蓄電池システムは、充電と放電を繰り返す二次電池と、前記二次電池を制御するための電気部品と、を備え、前記電気部品は、前記二次電池の上方または側方に設けられ、前記電気部品を、冷却する部品とそれ以外の部品とに、壁部を隔てて分けるように配置したことを特徴とする。
【発明の効果】
【０００７】
請求項１の発明によれば、二次電池の上方または側方において、壁部により冷却する部品とそれ以外の部品とを隔離することで、冷却が必要な部品のみを壁部の一側で集中して冷却でき、また、冷却風路も単純にすることができる。そのため、冷却する部品を集結して効率よく冷却することができる。
【０００８】
請求項２の発明によれば、壁部の後側に集結した冷却する部品を、同じ壁部の後側に設けた冷却手段で強制的に効率よく冷却することができる。また、冷却手段は壁部の前面側から取り外せるため、冷却手段の設置、交換などのメンテナンス作業が容易になり、さらに本体の後面部を外さなくてもメンテナンス作業ができるので、後面を障害物に近づけて本体を設置できるようになる。
【０００９】
請求項３の発明によれば、主回路基板組立と共に冷却する部品を取り外すことができるので、主回路基板組立や冷却する部品の設置、交換などのメンテナンス作業が容易になる。
【００１０】
請求項４の発明によれば、主回路基板組立と共に冷却する部品を、壁部の前面側から取り外すことができるので、主回路基板組立や冷却する部品の設置、交換などのメンテナンス作業がさらに容易になる。さらに本体の後面部を外さなくてもメンテナンス作業ができるので、後面を障害物に近づけて本体を設置できるようになる。
【００１１】
請求項５の発明によれば、第２取付板に設けた開口部を通して、主回路基板組立と共に冷却する部品を取り外すことができるので、主回路基板組立や冷却する部品の設置、交換などのメンテナンス作業を効率よく行なうことが可能になる。
【００１２】
請求項６の発明によれば、第２取付板における開口部の周囲を第１取付板と面接触させることで、開口部から冷却風が漏れるいわゆるエアリークを防止できる。
【００１３】
請求項７の発明によれば、第１取付板の係合部を第２取付板に引掛けて係合させるだけで、余計な部品を使わずに、冷却する部品や主回路基板組立を設置した第１取付板を、壁部となる第２取付板へ簡単に取り付けることが可能になる。
【００１４】
請求項８の発明によれば、第１取付板の持ち手部を把持することで、第１取付板を第２取付板へさらに簡単に取り付けることが可能になる。
【図面の簡単な説明】
【００１５】
【図１】本発明の第１の実施形態を示す蓄電池システムの電気的構成を示す系統図である。
【図２】同上、本体となる蓄電池盤の背面側を示す斜視図である。
【図３】同上、蓄電池盤の前パネルを外した状態を示す前面側斜視図である。
【図４】同上、蓄電池盤の後パネルを外した状態を示す背面側斜視図である。
【図５】同上、図４におけるＡ−Ａ断面図である。
【図６】同上、下ダクト部の斜視図である。
【図７】同上、前面側から見た電気部品収納部の組立分解図である。
【図８】同上、背面側から見た電気部品収納部の組立分解図である。
【図９】同上、背面側から見た主回路基板の要部拡大図である。
【図１０】同上、電源基板取付板の斜視図である。
【図１１】同上、図１０のＢ部分における要部拡大図である。
【図１２】本発明の第２の実施形態を示す電池システムの室内機の斜視図である。
【図１３】同上、パネル前部、パネル右部およびパネル上部を外した状態の室内機の斜視図である。
【図１４】同上、室内機の分解構成図である。
【図１５】同上、底板組立部の斜視図である。
【図１６】同上、電池ユニット取付時の底板組立部の斜視図である。
【図１７】同上、図１２のＡ−Ａ断面の要部拡大図である。
【図１８】同上、電池ユニットの取り付け方法を示す図である。
【図１９】同上、室内機を後方側から見た電池ユニット取付時の要部拡大図である。
【図２０】同上、図１２のＢ−Ｂ断面の要部拡大図である。
【図２１】同上、図２０の立体斜視図である。
【図２２】同上、パネル取付板の斜視図である。
【図２３】第２の実施形態の変形例を示す電池システムの底板組立部の斜視図である。
【図２４】本発明の第３の実施形態を示す電池システムにおいて、前パネルを外した状態で、全ての蓄電池モジュールを電池収容部に収容したときの機体内部の斜視図である。
【図２５ａ】同上、単独の二次電池支え下部の斜視図である。
【図２５ｂ】同上、蓄電池モジュールを配置した状態の二次電池支え下部の斜視図である。
【図２５ｃ】同上、単独の二次電池支え下部の平面図である。
【図２５ｄ】同上、蓄電池モジュールを配置した状態の二次電池支え下部の平面図である。
【図２６ａ】同上、単独の二次電池取付部の斜視図である。
【図２６ｂ】同上、蓄電池モジュールを配置した状態の二次電池支え下部および二次電池取付部の斜視図である。
【図２６ｃ】同上、立ち上げ部の要部拡大図である
【図２７】第３の実施形態の変形例を示す電池システムにおいて、前パネルを外した状態で、全ての蓄電池モジュールを電池収容部に収容したときの機体内部の斜視図である。
【図２８ａ】同上、単独の二次電池支え下部の斜視図である。
【図２８ｂ】同上、単独の二次電池支え下部の平面図である。
【図２８ｃ】同上、二次電池支え下部および底板を下方から見た分解斜視図である。
【図２９】本発明の第４の実施例におけるダンボールパレットの組立状態を示す完成斜視図である。
【図３０】同上、図２９のＸ部拡大図である。
【図３１】同上、ダンボールパレットの組立前の平面形状を示す図である。
【図３２】同上、図３１のＹ部拡大図である。
【図３３】本発明の第５の実施例における蓄電池システムの充電部防水構造を示す要部斜視図である。
【図３４】同上、図３３のＺ−Ｚ線断面図である。
【図３５】従来の蓄電池システムの充電部防水構造を示す要部斜視図である。
【図３６】同上、図３５のＺ’−Ｚ’線断面図である。
【発明を実施するための形態】
【００１６】
以下、添付図面を参照しつつ、本発明における定置式家庭用蓄電池システムの各実施例を説明する。なお、これらの全図面にわたり、共通する部分には共通する符号を付すものとする。
【実施例１】
【００１７】
図１は、本実施例における蓄電池システム１の電気的な構成を示したものである。同図において、蓄電池システム１は、単相三線式２００Ｖの商用電力系統Ｓからの交流電力と、住宅敷地内の屋外に設置された太陽電池２からの直流電力を電源として動作するもので、住宅内すなわち屋内にそれぞれ設置した第１住宅用分電盤（以下、第１分電盤という）４、第２住宅用分電盤（以下、第２分電盤という）５およびコントローラ６と、住宅敷地内の屋外に設置した蓄電池盤７とにより主に構成される。
【００１８】
系統Ｓに一端が接続する三線式の第１電源線８は、図示しない２本の電圧線と１本の中性線とにより構成され、第１分電盤４に引き込まれて配線される。第１分電盤４は、系統Ｓを保有する電力会社との契約ブレーカ１１の他に、主幹ブレーカ１２や、太陽光連系ブレーカ１３や、分岐ブレーカ１４や、負荷電流検出用の第１カレントトランス１５などを内部に組み込んでおり、第１電源線８の一端から他端に向けて、契約ブレーカ１１と、主幹ブレーカ１２と、第１カレントトランス１５が、それぞれ順に挿入接続される。
【００１９】
第１電源線８の他端には、各々に分岐ブレーカ１４を挿入接続した第１分岐線１６の一端が接続され、第１分岐線１６の他端には、住宅内に設置した停電時非バックアップ対象の第１負荷として、住宅内負荷Ｌ１が接続される。第１分岐線１６は、前述した２本の電圧線と１本の中性線とによる三線式、若しくは何れか１本の電圧線と中性線とによる二線式であるため、第１分電盤４に接続する住宅内負荷Ｌ１は、第１分岐線１６を介して交流２００Ｖまたは交流１００Ｖの何れかが供給される構成となっている。
【００２０】
第１分電盤４はその他に、第２分電盤５を経由して蓄電池盤７に接続する第２電源線１７と、住宅内に設置された太陽光発電用のパワーコンディショナ１８に接続する第３電源線１９がそれぞれ引き込まれて配線される。第２電源線１７と第３電源線１９は何れも三線式で、交流２００Ｖの供給を可能にするもので、第２電源線１７の一端は、第１分岐線１６につながる第１カレントトランス１５の他端に接続され、第３電源線１９の一端は、契約ブレーカ１１と主幹ブレーカ１２との接続点に接続される。また、第３電源線１９には前述の太陽光連系ブレーカ１３が挿入接続される。
【００２１】
太陽電池２は、パワーコンディショナ１８と共に太陽光発電システム２１を構成し、太陽光を直流電力に変換してパワーコンディショナ１８に送出するものである。またパワーコンディショナ１８は、太陽電池２からの直流電力を交流電力に変換する電力変換器としての機能を有する。パワーコンディショナ１８には、交流２００Ｖを供給するための第３電源線１９が接続されると共に、交流１００Ｖを自立出力可能にする差込み口（図示せず）が設けられる。この差込み口には、二線式の補助電源線２２の一端に接続する電源プラグ２３が装着され、補助電源線２２の他端は第２電源線１７を構成する何れか１本の電圧線と中性点に接続される。
【００２２】
パワーコンディショナ１８には、系統Ｓから正常に電力が供給されているか否かを監視する停電監視部（図示せず）が設けられている。これにより、系統Ｓから所定の電力が正常に供給される通常時には、パワーコンディショナ１８が第３電源線１９を介して第１電源線８に交流電力を供給し、その電力を蓄電池システム１側で消費させると共に、余剰電力を系統Ｓに送って電力会社への売電を行なう一方、系統Ｓからの電力供給が途絶えたいわゆる停電時には、パワーコンディショナ１８が自立出力して、補助電源線２２を介して第２電源線１７に交流電力を供給する構成になっている。
【００２３】
第２分電盤５は、主幹ブレーカ２５，２６や、サーキットブレーカ２７や、分岐ブレーカ２８や、保守用の切替回路２９などを主な構成要素とし、前述した第２電源線１７と補助電源線２２が第２分電盤５にそれぞれ配線される。また、第２電源線１７には主幹ブレーカ２５が挿入接続され、補助電源線２２にはサーキットブレーカ２７が挿入接続される。
【００２４】
第２電源線１７は、屋内に設置した第２分電盤５から屋外に設置した蓄電池盤７に引き回して配線されるが、第２分電盤５内において、第２電源線１７の途中にその一端を接続した二線式の第１給電線３０が配線されると共に、蓄電池盤７内において、同じく第２電源線１７の途中にその一端を接続した二線式の第２給電線３１が、蓄電池盤７から第２分電盤５に引き回して配線される。第１給電線３０の他端は、第２分電盤５内において第２給電線３１の途中に接続される。
【００２５】
切替回路２９は、手動操作可能な操作体３２と、この操作体３２に連動する二連の接点３３，３４とにより構成され、これらの接点３３，３４は前述の第１給電線３０と第２給電線３１に各々接続される。また第２給電線３１は、第１給電線３０との接続点と他端との間に、主幹ブレーカ２６が挿入接続される。なお切替回路２９は、常用時に接点３３がオフし、接点３４がオンする一方で、非常時には操作体３２の操作により、接点３３をオンにし、接点３４をオフにすることができる。
【００２６】
第２給電線３１の他端には、各々に分岐ブレーカ２８を挿入接続した第２分岐線３５の一端が接続され、第２分岐線３５の他端には、住宅内に設置した停電時バックアップ対象の第２負荷として、住宅内負荷Ｌ２が接続される。第２分岐線３５は何れも二線式であるため、第２分電盤５に接続する住宅内負荷Ｌ２は、第２分岐線３５を介して交流１００Ｖだけが供給される構成となっている。
【００２７】
上述した第１分電盤４に組み込まれる契約ブレーカ１１、主幹ブレーカ１２、太陽光連系ブレーカ１３、および分岐ブレーカ１４や、第２分電盤５に組み込まれる主幹ブレーカ２５、主幹ブレーカ２６、サーキットブレーカ２７、および分岐ブレーカ２８は、何れもそこに過電流が流れた時に回路を遮断する機能を有する。したがって、今後は特に断り書きのない限り、これらの各ブレーカ１１〜１４，２５〜２８は、何れも常にオン状態にあるものとする。
【００２８】
蓄電池システム１の屋外機を構成する蓄電池盤７は、充放電可能な蓄電池である二次電池３８が搭載され、この二次電池３８や蓄電池制御ユニット（ＢＭＵ：Battery Management Unit）３９などを含む電池システム４１の他に、パワーコンディショナ４２や、停電開閉部４３や、保守用切替器４４や、ファン４５などを内部に組み込んで構成される。
【００２９】
二次電池３８は、１２個のリチウムイオン電池セル（図示せず）を直列に接続したものを、２並列に接続した６個の蓄電池モジュールＭＤＬ１〜ＭＤＬ６からなる。蓄電池モジュールＭＤＬ１〜ＭＤＬ６には、電池セル管理モジュールＣＭＵ１〜ＣＭＵ６がそれぞれ設けられる。電池セル管理モジュールＣＭＵ１〜ＣＭＵ６は、対応する蓄電池モジュールＭＤＬ１〜ＭＤＬ６の各電池セルについて、電池電圧（充電量や残量）や温度などの監視結果を蓄電池制御ユニット３９に送出すると共に、蓄電池制御ユニット３９からの制御信号を受けて、個々の電池セルの電池電圧を適正な範囲に調整するものである。蓄電池モジュールＭＤＬ１〜ＭＤＬ６は、パワーコンディショナ４２から電池システム４１に引き回された直流線路４６にそれぞれ挿入接続される。
【００３０】
電池システム４１にはその他に、切断機４７と、開閉器４８，４９と、電流検出器５０がそれぞれ設けられる。保守用に設けられた切断機４７は、直列接続された一方の蓄電池モジュールＭＤＬ１〜ＭＤＬ３の一群と、直列接続された他方の蓄電池モジュールＭＤＬ４〜ＭＤＬ６の一群との間の直流線路４６に挿入接続され、電池システム４１の保守点検時などに、この切断機４７を手動操作して直列線路４６を切断することで、蓄電池モジュールＭＤＬ１〜ＭＤＬ６による不意の感電を防止し得るように構成している。また、切断機４７の状態を示す検出信号が、蓄電池制御ユニット３９に送出されるようになっている。
【００３１】
開閉器４８，４９は、二次電池３８の正極側と負極側にそれぞれ位置して、直流線路４６に挿入接続される。また電流検出器５０は、電池システム４１内における二次電池３８の充放電電流を検出して、その検出信号を蓄電池制御ユニット３９に送出するもので、二次電池３８の負極側の直流線路４６に挿入接続される。
【００３２】
蓄電池制御ユニット３９は、二次電池３８の状態を認識して制御を行なうもので、具体的には電池セル管理モジュールＣＭＵ１〜ＣＭＵ６、切断機４７および電流検出器５０からの各検出信号を受けて、二次電池３８に対して適切な制御が行われるように、各電池セル管理モジュールＣＭＵ１〜ＣＭＵ６に制御信号を送出すると共に、二次電池３８の正常動作時に開閉器４８，４９をオン状態にし、二次電池３８の異常時や点検時などに開閉器４８，４９をオフ状態にするように、各開閉器４８，４９に制御信号を送出する。また蓄電池制御ユニット３９は、前述の電池セル管理モジュールＣＭＵ１〜ＣＭＵ６、切断機４７および電流検出器５０からの各検出信号に基づく二次電池３８の状態を認識した結果を、制御線５１を通じてパワーコンディショナ４２に送出する機能を備えている。
【００３３】
前述のパワーコンディショナ４２には、第２分電盤５からの第２電源線１７が引き回されて配線されると共に、この第２電源線１７と並列に二線式の第３給電線５２が接続される。またパワーコンディショナ４２は、系統Ｓや住宅内負荷Ｌ１，Ｌ２と二次電池３８との間で電力変換を行なう電力変換部５３や、電力変換部５３に駆動信号を供給する制御基板５４や、制御基板５４などに所定の動作電圧を供給する動作電源部５５や、第２電源線１７と第３給電線５２にそれぞれ挿入接続される切替リレー５６，５７などを具備する。
【００３４】
電力変換部５３は、第２電源線１７側に接続するＤＣ／ＡＣ変換回路６１と、直流線路４６側に接続するＤＣ／ＤＣ変換回路６２とを直列に接続し、制御基板５４からの指令信号を受けて、ＤＣ／ＡＣ変換回路６１およびＤＣ／ＤＣ変換回路６２を構成する半導体スイッチング素子の制御端子すなわちゲートに、所定のパルス駆動信号をそれぞれ供給するゲート駆動回路６３を備えて構成される。電力変換部５３のインバータとしてのＤＣ／ＡＣ変換回路６１は、内蔵する半導体スイッチング素子のスイッチング動作に伴い、第２電源線１７からの交流電力を直流電力に変換してＤＣ／ＤＣ変換回路６２に送出し、或いはＤＣ／ＤＣ変換回路６２からの直流電力を交流電力に変換して第２電源線１７に送出する機能を有する。また、電力変換部５３のコンバータとしてのＤＣ／ＡＣ変換回路６１は、内蔵する半導体スイッチング素子のスイッチング動作に伴い、ＤＣ／ＡＣ変換回路６１からの直流電圧を、二次電池３８を充電するに適した電圧レベルに降圧し、或いは二次電池３８からの直流電圧を、住宅内負荷Ｌ１，Ｌ２を正常に動作させるに適した電圧レベルに昇圧する機能を有する。
【００３５】
本実施例では、ＤＣ／ＡＣ変換回路６１およびＤＣ／ＤＣ変換回路６２を構成する半導体スイッチング素子として、複数のスイッチング素子をパッケージ化したスイッチング素子モジュール７６を主に使用し、予備にＩＧＢＴ（Insulated Gate Bipolar Transistor：絶縁ゲート型バイポーラトランジスタ）７７（いずれも図５参照）を使用する。
【００３６】
動作電源部５５は、ダイオード６４と、ＤＣ／ＤＣコンバータとしての制御電源回路６５とを備え、直流線路４６の両端間に発生する直流電圧を、ダイオード６４を介して制御電源回路６５に送出すると共に、蓄電池盤７に搭載されたノイズフィルタ６６を通してノイズ成分を除去し、自動電圧調整器（ＡＶＲ）６７，６８にそれぞれ送出する機能を有する。制御電源回路６５は、制御基板５４を正常に動作させるための直流電圧を、当該制御基板５４に動作電圧として供給するものであり、また自動電圧調整器６７，６８は、蓄電池盤７内において各部を動作させるための直流１２Ｖと直流２４Ｖをそれぞれ生成するものである。特に自動電圧調整器６７で生成される直流１２Ｖの動作電圧は、電池システム４１の蓄電池制御ユニット３９だけでなく、動作電圧線６９を介して屋内のコントローラ６などにも供給されるようになっている。
【００３７】
動作電源部５５は、その他にＡＣ／ＤＣ変換回路５８を備えており、第２電源線１７に発生する交流電圧を、別な例えば直流５Ｖの動作電圧に変換する機能を有する。また第２電源線１７には、トランスとダイオードとにより構成される別なＡＣ／ＤＣ変換回路５９が設けられており、蓄電池システム１の運転が停止している状態でも、第２電源線１７からＡＣ／ＤＣ変換回路５９を介して制御電源回路６５やノイズフィルタ６６に直流電圧が送出されるようになっている。
【００３８】
パワーコンディショナ４２は、コントローラ６から制御線７１を介して伝送される制御信号と、蓄電池制御ユニット３９から制御線５１を介して伝送される二次電池３８の状態を認識した信号とにより、電力変換部５３の駆動ひいては二次電池３８の充放電を制御する充放電制御部として、蓄電池盤７内に設けられる。コントローラ６からの制御信号と、蓄電池制御ユニット３９から二次電池３８の状態を認識した信号は、何れもパワーコンディショナ４２に搭載した制御基板５４に送出され、これらの信号に基づく適切な指令信号が制御基板５４からゲート駆動回路６３に与えられ、ゲート駆動回路６３からＤＣ／ＡＣ変換回路６１とＤＣ／ＤＣ変換回路６２に、所定のパルス導通幅を有するパルス駆動信号をそれぞれ供給することで、二次電池３８への充電電流、或いは二次電池３８からの放電電流を適切に制御するようになっている。なお、ＤＣ／ＡＣ変換回路６１とＤＣ／ＤＣ変換回路６２との間には、平滑用のコンデンサ７２が接続される。
【００３９】
蓄電池盤７内において、制御基板５４は、第１電源線８に挿入接続した第１カレントトランス１５と、第２電源線１７に挿入接続した第２カレントトランス７３と、第２給電線３１に挿入接続した第３カレントトランス７４からの各検出信号を受け入れて、これらの第１電源線８、第２電源線１７および第２給電線３１を流れる電流量を各々監視する機能を有する。また制御基板５４は、停電発生を判断するための検出信号を出力する部品として、第２電源線１７に発生する電圧の有無を検出する第１リレー７５の他に、補助電源線２２に発生する電圧の有無を検出する第２リレー７６からの各検出信号を受け入れる機能を有すると共に、直流線路４６に設けた第１開閉器７７と、補助電源線２２に設けた第２開閉器７９と、第２電源線１７および第２給電線３１に設けた保守用切替器４４にそれぞれ接続して、これらの開閉器７７，７９および保守用切替器４４のオン、オフを個別に制御し得るように構成している。
【００４０】
特に制御基板５４は、第１リレー７５からの検出信号により停電が発生したと判断すると、切替リレー５６をオンからオフに切替えると同時に、切替リレー５７をオフからオンに切替えて、二次電池３８に蓄えられていた電力を、第２電源線１７ではなく第３給電線５２を経由した後、第２給電線３１を介して住宅内負荷Ｌ２に供給すると共に、第２給電線３１の一端との接続点よりも系統Ｓ側の第２電源線１７に挿入接続された停電開閉部４３の接点をオンからオフに切替えて、二次電池３８から第２電源線１７と第１電源線８を順に経て、系統Ｓに電力が逆潮流するのを防ぐように構成している。
【００４１】
前述のノイズフィルタ６６や、自動電圧調整器６７，６８や、第２カレントトランス７３や、第３カレントトランス７４や、第１リレー７５や、第２リレー７６や、第１開閉器７７や、第２開閉器７９は、何れも蓄電池盤７内に搭載される。それ以外に、蓄電池盤７内には第３リレー８１が搭載され、制御基板５４から第３リレー８１に与えられる制御信号によって、蓄電池盤７内の発熱部品を強制空冷するファン４５のオン、オフ動作を制御する構成になっており、他にもここでは図示しないが、高調波を低減する直流リアクトル（ＤＣＬ）７８（図４参照）や交流リアクトル（ＡＣＬ）７９（図４参照）も、パワーコンディショナ４２を構成する電子部品として蓄電池盤７内に搭載される。
【００４２】
屋内に設けたコントローラ６は、前述の動作電圧線６９と制御線７１とにより、屋外に設置した蓄電池盤７に有線で接続される。コントローラ６は動作電圧線６９からの動作電圧によって動作し、制御線７１を通して蓄電池盤７のパワーコンディショナ４２に搭載した制御基板５４に、制御信号である充電信号や放電信号を送出する構成になっている。
【００４３】
次に、本実施例における蓄電池盤７の構成について、図２〜図１１を参照しながら説明する。図２において、蓄電池システム１の本体となる蓄電池盤７は、上パネル１０１、下パネル１０２、前パネル１０３、後パネル１０４、右パネル１０５、左パネル１０６からなる外装パネルによって六面を囲まれた直方体状の外観を有している。また後パネル１０４は、吸気口１０８および排気口１０９を備えている。また、下パネル１０２の下部には、室外の設置面に載せられる脚部１１０が設けられる。
【００４４】
図３に基づき、前パネル１０３を外した状態の蓄電池盤７の内部構造について説明すると、ここでは下パネル１０２の四隅に立設された４本の縦フレーム１１１に囲まれた収納空間内部に、各種機器を収納する構成となっている。また、各縦フレーム１１１の中段部分を連結する仕切り用プレート１１２によって、蓄電池盤７の内部は、上側を蓄電池制御ユニット３９やファンモータ８４を含むファン４５などの各種電子部品が収容される電気部品収容部１１３とする一方で、下側を二次電池３８が収容される電池収容部１１４とするように仕切られている。電気部品収容部１１３は、電池収容部１１４の上方にではなく、電池収容部１１４の側方に設けられてもよい。電池収容部１１４は、仕切り用プレート１１２と下パネル１０２との間に、略等間隔で上下二段に第１棚プレート１１５および第２棚プレート１１６を備えており、仕切り用プレート１１２と第１棚プレート１１５との間には一対の蓄電池モジュールＭＤＬ３，ＭＤＬ４が、第１棚プレート１１５と第２棚プレート１１６との間には一対の蓄電池モジュールＭＤＬ２，ＭＤＬ５が、第２棚プレート１１６と下パネル１０２との間には一対の蓄電池モジュールＭＤＬ１，ＭＤＬ６が、それぞれ配置される。
【００４５】
１２５は、蓄電池盤７の右パネル１０５に取付け固定される端子台カバーである。この端子台カバー１２５は、蓄電池盤７の右側面内部に取付けられる端子台１２６を覆うカバーに相当するもので、その下側は端子台１２６に接続した配線（図示せず）を外部に引き出すために、開口部１２７が設けられている。なお、蓄電池システム１の充電部となる端子台１２６の防水構造については、後述する別な実施例で詳しく説明する。
【００４６】
図４は、後パネル１０４を外した状態の蓄電池盤７の内部構造を示している。同図において、電池収容部１１４に収容された二次電池３８の上部には、何れもパワーコンディショナ４２を構成するスイッチング素子モジュール７６や、ＩＧＢＴ７７や、ＤＣＬ７８や、ＡＣＬ７９などの冷却を必要とする第１電気部品１２８と、それ以外の蓄電池制御ユニット３９などの冷却を必要としない第２電気部品１２９（図３を参照）とを分けて配置するための電気部品取付板８７が設置される。また、冷却手段としてファンモータ８４を駆動源とするファン４５は、電気部品取付板８７の一部をなすファンモータ取付板９１に直接取り付けられる。第１電気部品１２８は後述する電源基板取付板８０や主回路基板８１に実装されるのに対し、第２電気部品１２９は電気部品組立８２（図３を参照）に実装され、これらの主回路基板８１および電気部品組立８２が、電源基板取付板８０に取り付けられる。そして、この電源基板取付板８０が電気部品取付板８７に取り付けられる。
【００４７】
本実施例では、壁部としての電気部品取付板８７が、電気部品収容部１１３の内部空間を前後に区画するように縦置き状態に配設され、電気部品取付板８７を介してその前側には、蓄電池システム１の運転時に温度がさほど上昇としない第２電気部品１２９が配置される一方で、電気部品取付板８７の後側には、蓄電池システム１の運転時に温度が上昇して冷却を必要とする第１電気部品１２８が配置される。さらに電気部品取付板８７の後側では、仕切板１１６により、ファン４５を取り付けている場所と電源基板取付板８０を取り付けている場所とを仕切り、ファン４５と第１電気部品１２８とを仕切板１１６で分けるようにして、第１電気部品１２８を電気部品取付板８７の後側に集結して設置している。
【００４８】
電気部品取付板８７の後側には、ファンモータ８４への通電によるファン４５の動作時に、吸気口１０８から吸い込んだ冷風を、第２電気部品１２９に効率よく導いて排気口１０９から排出させるダクトとして、下ダクト部１１７と上ダクト部１１８が重なるようにして配置される。なお図４において、下ダクト部１１７や、主回路基板８１に実装したＤＣＬ７８およびＡＣＬ７９を図示するために、上ダクト部１１８の縦方向の天板部は省略されている。
【００４９】
図５は、図４におけるＡ−Ａ断面図である。同図において、電源基板取付板８０は電気部品取付板８７の前側で、電気部品取付板８７と垂直に面で接触して取り付けられており、壁部として作用する電気部品取付板８７を境に、その前側には、電気部品組立８２に実装された第２電気部品１２９が配置されている。その一方で、電気部品取付板８７の後側には、冷却が必要な第１電気部品１２８として、スイッチング素子モジュール７６、ＩＧＢＴ７７、ＤＣＬ７８およびＡＣＬ７９などが配置され、図９にも示すように、スイッチング素子モジュール７６とＩＧＢＴ７７の突出した表面に、熱伝導性の良好な金属製の放熱フィン８３を取り付けている。ここでの放熱フィン８３も、冷却が必要な第１電気部品１２８として電気部品取付板８７の後側に配置され、スイッチング素子モジュール７６とＩＧＢＴ７７と放熱フィン８３を、共通の主回路基板８１に実装することで、これらがユニット化された主回路基板組立１３０として構成される。
【００５０】
下ダクト部１１７は、ファン４５と第１電気部品１２８とを連通させるために、ファン４５の排気口から仕切板１１６を貫通して、スイッチング素子モジュール７６、ＩＧＢＴ７７および放熱フィン８３を囲うように、電気部品取付板８７の後側に設置される。このように構成することにより、ファン４５からスイッチング素子モジュール７６、ＩＧＢＴ７７および放熱フィン８３への冷却風路が形成され、これらの第１電気部品１２８を効率よく冷却することができる。
【００５１】
図６に示すように、下ダクト部１１７の下側には、下ダクト部１１７を通過する風の排出口となる開口部１１９，１１９が形成される。図５に戻って説明すると、この開口部１１９，１１９の直下に、冷却が必要な第１電気部品１２８として、上ダクト部１１８に囲まれたＤＣＬ７８とＡＣＬ７９がそれぞれ臨むように、下ダクト部１１７が配置される。開口部１１９，１１９は、下ダクト部１１７の下方に配置した第１電気部品１２８の数に合せて形成するのが望ましく、下ダクト部１１７の開口部１１９，１１９を通して、別な上ダクト部１１８によりＤＣＬ７８とＡＣＬ７９への冷却風路を形成して、これらのＤＣＬ７８とＡＣＬ７９をさらに効果的に冷却できるように構成している。
【００５２】
上ダクト部１１８は、ＤＣＬ７８とＡＣＬ７９、および下ダクト部１１７を囲むように、下ダクト部１１７と共に電気部品取付板８７に取り付けられる。また、上ダクト部１１８は開口部（図示せず）を有しており、後パネル１０４を取り付けた際に、この開口部と排気口１０９が連通するように構成されている。
【００５３】
これにより蓄電池盤７の内部では、運転中のファン４５により、後パネル１０４の吸気口１０８から取り入れた空気が下ダクト部１１７を通ることで、放熱フィン８３から熱を奪って放熱フィン８３を冷却し、それと共に放熱フィン８３に取付けてあるスイッチング素子モジュール７６やＩＧＢＴ７７を冷却する。さらに、下ダクト部１１７の開口部１１９，１１９を通過した冷却風がＤＣＬ７８やＡＣＬ７９に当たることで、これらのＤＣＬ７８やＡＣＬ７９を冷却し、その後は上ダクト部１１８の開口部を介して、後パネル１０４の排気口１０９から蓄電池盤７の外部に排出する冷却風路が形成される。
【００５４】
こうして本実施例では、二次電池３８を収容する電池収容部１１４の上方で、電気部品取付板８７により冷却する第１電気部品１２８とそれ以外の冷却を必要としない第２電気部品１２９が隔離される。そのため、第１電気部品１２８のみを電気部品取付板８７の後側で集中して冷却でき、下ダクト１１７や上ダクト１１８による第１電気部品１２８への冷却風路も電気部品取付板８７の後側だけにして、単純にすることができる。また、電気部品取付板８７の後側に集結した第１電気部品１２８は、同じく電気部品取付板８７の後側に設けたファン４５で強制的に効率よく冷却される。
【００５５】
図７および図８に基づき、電気部品収容部１１３の構造について、さらに詳細に説明する。図７は、蓄電池盤７の前面側となる前パネル１０３側から見た電気部品収容部１１３の組立分解図であり、図８は、蓄電池盤７の背面側となる後パネル１０４側から見た電気部品収容部１１３の組立分解図である。
【００５６】
これらの各図において、電気部品取付板８７は、前パネル１０３や後パネル１０４と平行で、かつ電気部品収容部１１３の前側と後側を仕切るように、蓄電池盤７の正面から見て電気部品収容部１１３の全面に亘って設けられており、ファン４５の設置場所にファン開口部１２１が、また電源基板取付板８０の設置場所に電気部品取付板開口部１２２がそれぞれ形成されている。本実施例のファン開口部１２１は、ファン４５の本体外周と同一の形状に形成されており、前パネル１０３を取り外した後に、電気部品取付板８７の前面側から、ファン開口部１２１を通して電気部品取付板８７の後側にファン４５を配置した状態で、図示しないネジなどの止着部材を利用して、ファン４５を電気部品取付板８７に取り付けたり、取り外したりできる構成となっている。
【００５７】
つまり、ファン４５は電気部品取付板８７の前面側から取り付けや取り外しが可能となるため、ファン４５の設置や交換などのメンテナンス作業が容易になる。また、蓄電池盤７の後面部を形成する後パネル１０４をわざわざ外さなくても、ファン４５のメンテナンス作業が可能となり、蓄電池盤７の後面を壁などの障害物に近付けて設置できる。
【００５８】
また、ファン開口部１２１とは別な電気部品取付板開口部１２２は、予め主回路基板組立１３０を取り付けた電源基板取付板８０を、電気部品取付板８７に面接触するように垂直に設置した際に、第１電気部品１２８であるスイッチング素子モジュール７６、ＩＧＢＴ７７、ＤＣＬ７８、ＡＣＬ７９および放熱フィン８３が電気部品取付板８７の後側に配置されるように、電源基板取付板８０の外形よりも一回り小さい矩形状に形成される。なお、これらの第１電気部品１２８の設置場所だけ開口するように、電気部品取付板開口部１２２を形成してもよい。
【００５９】
このように構成することで、前パネル１０３を取り外した後に、電気部品取付板８７の前面側から、電気部品取付板開口部１２２を通して電気部品取付板８７の後側に第１電気部品１２８を配置した状態で、図示しないネジなどの止着部材を利用して、第１電気部品１２８と共に電源基板取付板８０を、電気部品取付板８７に取り付けたり、取り外したりできる。また、電源基板取付板８０を電気部品取付板８７に取り付けると、電気部品取付板８７における電気部品取付板開口部１２２周辺の前側面に、電源基板取付板８０が面接触するので、電気部品取付板開口部１２２から冷却風が漏れることを防止できる。
【００６０】
電源基板取付板８０には、主回路基板組立１３０の他に、第１電気部品１２８の一部をなすＤＣＬ７８およびＡＣＬ７９や、第２電気部品を含む電気部品組立８２が取り付けられる。本実施例の電源基板取付板８０は、電気部品取付板８７と面で接触する垂直面部８０ａに開口部８０ｂを形成して構成され（何れも図１０参照）、この垂直面部８０ａの後側に、ＤＣＬ７８やＡＣＬ７９が装着される。また主回路基板組立１３０は、スイッチング素子モジュール７６やＩＧＢＴ７７が電源基板取付板８０の開口部８０ｂを貫通した状態で、電源基板取付板８０の垂直面部８０ａの前側に主回路基板８１が取り付けられる。これにより、電源基板取付板８０と共に主回路基板組立１３０を、電気部品取付板８７の前面側に取り付けたり、取り外したりすることが可能になる。
【００６１】
つまり本実施例では、主回路基板組立１３０と共に、第１電気部品１２８となるスイッチング素子モジュール７６やＩＧＢＴ７７を取り付けたり、取り外したりすることができるので、スイッチング素子モジュール７６やＩＧＢＴ７７を含む主回路基板組立１３０の設置および交換などのメンテナンス作業が容易になる。さらに主回路基板組立１３０と共に、スイッチング素子モジュール７６やＩＧＢＴ７７を、電気部品取付板８７の開口部となる電気部品取付板開口部１２２を通して、電気部品取付板８７の前面側壁部の前面側から取り付けたり、取り外したりすることができるので、メンテナンス作業はさらに容易なものとなり、蓄電池盤７の後面部を形成する後パネル１０４をわざわざ外さなくても、メンテナンス作業が可能となるので、蓄電池盤７の後面を壁などの障害物に近付けて設置できる。
【００６２】
一方、電気部品組立８２は、主回路基板８１から前側に間を設けて電源基板取付板８０に取り付けられており、主回路基板組立１３０と電気部品組立８２が互いに干渉しないように構成されている。このように、共通する電源基板取付板８０に主回路基板組立１３０や電気部品組立８２を取り付けることにより、第１電気部品１２８と第２電気部品１２９が電気部品取付板８７の一側と他側にそれぞれ分かれて配置されているにも拘らず、それらの電気部品１２８，１２９の間の配線処理が簡単になり、配線からのノイズが軽減される。また、予め主回路基板組立１３０や、ＤＣＬ７８およびＡＣＬ７９や、電気部品組立８２を電源基板取付板８０に組み込んだ状態で、その電源基板取付板８０を電気部品取付板８７に取り付けることで、第１電気部品１２８と第２電気部品１２９を蓄電池盤７に一度に取り付け、逆の手順で一度に取り外すことができ、代わりに開口部８０ｂを放熱フィン８３の外形よりも大きく形成することで、先にＤＣＬ７８およびＡＣＬ７９を組み込んだ電源基板取付板８０を電気部品取付板８７に取付けてから、主回路基板組立１３０と電気部品組立８２を電源基板取付板８０へ順に取付け、逆の手順で順に取り外すことができる。
【００６３】
仕切板１１６には、下ダクト部１１７をファン４５から放熱フィン８３に向けて貫通させる切欠部１２３が形成される。本実施例では、電気部品取付板８７の後側で、スイッチング素子モジュール７６、ＩＧＢＴ７７および放熱フィン８３の高さと、ファン４５の高さと、切欠部１２３の高さが略同一になるように構成される。これにより、ファン４５からのスイッチング素子モジュール７６、ＩＧＢＴ７７および放熱フィン８３への冷却風路を、電気部品収容部１１３の内部だけで横方向に直線状かつ最短にして、最も単純化することができるため、これらの第１電気部品１２８をさらに効果的に冷却できるようになる。
【００６４】
図１０および図１１に基づき、電源基板取付板８０の構造について、さらに詳細に説明する。図１０は、電源基板取付板８０単体の斜視図であり、図１１は、図１０のＢ部分における要部拡大図である。
【００６５】
主回路基板８１および電気部品組立８２を電源基板取付板８０に組み立てると、全体で相当な重量があるため、従来は、この電源基板取付板８０の組立を電気部品取付板８７に取り付ける際に難があった。そこで、本実施例の電源基板取付板８０は、垂直面部８０ａの両側に、持ち手部８０ｃ，８０ｃおよび下向きＬ字形状の爪部８０ｄ，８０ｄを備えて構成されている。持ち手部８０ｃ，８０ｃは、電源基板取付板８０の組立を電気部品取付板８７に取り付ける際に、人が把持可能な把持部としての機能を有する。なお本実施例では、持ち手部８７ｃ，８７ｃを電源基板取付板８０に設けているが、電源基板取付板８０の代わりに、例えば主回路基板８１または電気部品組立８２に持ち手部８０ｃ，８０ｃを設けるなどして、電源基板取付板８０を組み立てた際に、この組立に持ち手部８０ｃ，８０ｃが備えられていればよい。また、係合部となる爪部８０ｄ，８０ｄに対応して、電気部品取付板８７には係合受部としての開口（図示せず）が設けられており、これらの開口に爪部８０ｄ，８０ｄを掛けて係合させることにより、電源基板取付板８０を電気部品取付板８７に面接触で簡単に取り付けることができる。このように本実施例では、電源基板取付板８０の組立に備えた持ち手部８０ｃ，８０ｃを把持し、爪部８０ｄ，８０ｄを対応する開口に係合させるだけで、電源基板取付板８０の組立を電気部品取付板８７に取り付けることができ、上述のように電源基板取付板８０を、前面である前パネル１０３側から取り付けることができる本実施例では、特に作業が簡単に済む。
【００６６】
以上のように、本実施例の蓄電池システム１では、直方体形状の蓄電池盤７を備え、蓄電池盤７は、充電と放電を繰り返す二次電池３８と、二次電池３８を制御するための複数の電気部品を備え、これらの電気部品は、二次電池３８を収容する電池収容部１１４の上方、若しくは電池収容部１１４の側方に形成した電気部品収容部１１３に設けられ、当該電気部品を、冷却する部品となる第１電気部品１２８と、それ以外の冷却を必要としない部品となる第２電気部品１２９とに、壁部となる電気部品取付板８７を隔てて分けるように配置している。
【００６７】
この場合、二次電池３８の上方または側方において、電気部品取付板８７により冷却する第１電気部品１２８と、それ以外の冷却を必要としない第２電気部品１２９とを隔離することで、冷却が必要な第１電気部品１２８のみを電気部品取付板８７の一側となる後側で集中して冷却でき、また、第１電気部品１２８への冷却風路も、電気部品取付板８７の一側にだけ形成して単純にすることができる。そのため、冷却する第１電気部品１２８を集結して効率よく冷却することが可能な蓄電池ユニット１を提供できる。
【００６８】
また本実施例の蓄電池システム１では、電気部品を冷却するための冷却手段として、ファンモータ８４への通電により電子部品への強制送風を行なうファン４５をさらに備え、冷却する第１電気部品１２８を電気部品取付板８７の後側に配置し、ファン４５を第１電気部品１２８と同一側である電気部品取付板８７の後側に配置して、電気部品取付板８７の前面側からファン４５が取り外しできるように構成している。
【００６９】
この場合、電気部品取付板８７の後側に集結した冷却する部品を、同じ電気部品取付板８７の後側に設けた冷却手段で強制的に効率よく冷却することができる。また、ファン４５は電気部品取付板８７の前面側から取り外せるため、ファン４５の設置や交換などのメンテナンス作業が容易になり、さらに本体となる蓄電池盤７の後面部を外さなくても、ファン４５のメンテナンス作業ができるので、後面を障害物に近づけて蓄電池盤７を設置できるようになる。
【００７０】
また本実施例では、冷却する第１電気部品１２８が設置されるユニット化された主回路基板組立１３０をさらに備え、この主回路基板組立１３０を電気部品取付板８７から取り外すと同時に、主回路基板組立１３０に設置した第１電気部品１２８も電気部品取付板８７から取り外される構成となっている。
【００７１】
この場合、主回路基板組立１３０と共に冷却する第１電気部品１２８を取り外すことができるので、主回路基板組立１３０や第１電気部品１２８の設置や交換などのメンテナンス作業が容易になる。
【００７２】
また本実施例の蓄電池システム１では、主回路基板組立１３０が電気部品取付板８７の前面側から取り外しできる構成となっている。
【００７３】
この場合、主回路基板組立１３０と共に第１電気部品１２８を、電気部品取付板８７の前面側から取り外すことができるので、主回路基板組立１３０や第１電気部品１２８の設置や交換などのメンテナンス作業がさらに容易になる。さらに、蓄電池盤７の後面部を外さなくても、主回路基板組立１３０や第１電気部品１２８のメンテナンス作業ができるので、後面を障害物に近づけて本体を設置できるようになる。
【００７４】
また本実施例では、主回路基板組立１３０が第１取付板となる電源基板取付板８０に設置され、電気部品取付板８７となる第２取付板に、主回路基板組立１３０や電源基板取付板８０に設置した第１電気部品１２８を通す開口部として、電気部品取付板開口部１２２を設けている。
【００７５】
この場合、電気部品取付板８７に設けた電気部品取付板開口部１２２を通して、主回路基板組立１３０と共に、主回路基板組立１３０や電源基板取付板８０に設置した第１電気部品１２８を取り外すことができるので、主回路基板組立１３０や第１電気部品１２８の設置や交換などのメンテナンス作業を効率よく行なうことが可能になる。
【００７６】
また本実施例では、電源基板取付板８０を電気部品取付板８７に取り付けた状態で、電気部品取付板８７における電気部品取付板開口部１２２を有する面に、電源基板取付板８０が面接触する構成となっている。
【００７７】
この場合、電気部品取付板８７における電気部品取付板開口部１２２の周囲を電源基板取付板８０と面接触させることで、電気部品取付板開口部１２２から冷却風が漏れるいわゆるエアリークを防止できる。
【００７８】
また、本実施例の電源基板取付板８０は、電気部品取付板８７に係合する係合部としての爪部８０ｄを備えている。
【００７９】
この場合、電源基板取付板８０の係合部となる爪８０ｄを電気部品取付板８７の開口に引掛けて係合させるだけで、余計な部品を使わずに、第１電気部品１２８や主回路基板組立１３０を設置した電源基板取付板８０を、壁部となる電気部品取付板８７へ簡単に取り付けることが可能になる。
【００８０】
また、本実施例の電源基板取付板８０は、把持用の持ち手部８０ｃを備えている。
【００８１】
この場合、電源基板取付板８０の持ち手部８０ｃを人が把持することで、電源基板取付板８０を電気部品取付板８７へさらに簡単に取り付けることが可能になる。
【実施例２】
【００８２】
本発明の蓄電池システム１の第２実施例について、図１２〜図２３を参照してその構成を説明する。ここでの蓄電池システム１では、蓄電池盤７において、二次電池３８およびこれらを制御する蓄電池制御ユニット３９などを備える電池システム４１を屋内すなわち室内設備にし、電池システム４１は、室内に固定する板状の底板組立部１３７をその下部に備えており、当該底板組立部１３７は、底板下部１４７と底板上部１４８の二つの部分で主に構成される。その他の電気的な配線構成は、図１に示す系統図と共通する。
【００８３】
従来技術の定置式家庭用蓄電池としての蓄電池盤７は、室外に設置していた。そのため、以下のような問題が発生していた。第１に、蓄電池盤７が室外機であるため、室外に設置スペースが必要であった。第２に、蓄電池盤７が室外機であるため、絶えず風雨にさらされてしまい、吸気口や排気口から入る雨水および埃から充電部である電池システム４１を保護する必要があり、また蓄電池盤７の外観部も保護する必要があり、したがって電池システム４１を冷却しながら雨水および埃から保護するために蓄電池盤７の構造が複雑になっていた。第３に、蓄電池盤７は真夜中にも充電を行なうが、充電中は充電部を冷却する冷却ファンなどを作動させる必要があり、昼間では気にならない冷却ファンなどの作動音が気になり、騒音問題に発展する虞があった。
【００８４】
そこで本実施例では、図１２〜図２３に示すように、蓄電池盤７に設けられている電池システム４１を、室内に設備する室内機１３１に組み込むことにより、上述の問題を解決している。図１２に示すように、室内機１３１は、パネル前部１３２、パネル左部１３３、パネル右部１３４、パネル上部１３５、および底板組立部１３７からなる外装体によって、直方体状の外観を有している。室内機１３１の背面は開口しており、後述するように、室内機１３１下面において底板組立部１３７を床Ｆに直接取り付けるように構成しているため、室内機１３１の外装体に穴などを空けることなく、壁Ｗや床Ｆからのリード線を配線できるように構成している。なお、パネル前部１３２、パネル左部１３３、パネル右部１３４およびパネル上部１３５は、止着部材となる例えばネジ１３８により所定の位置に固定され、後述するように、パネル左部１３３およびパネル右部１３４の下部にパネル取付板１３９，１３９…が内側から当接することにより、当該パネル左部１３３およびパネル右部１３４の位置決めおよび支持を行なっている。
【００８５】
この室内機１３１は室内の床Ｆに固定されるが、例えば、クローゼットの中や階段の下などのデッドスペースに設置されるのが好ましい。このようなスペースに室内機１３１を設置した場合、室内機１３１の設置スペースしか確保できず、室内機１３１側面からの部品の取り付け作業を行なうことが難しい虞があり、また、この設置スペースにおいて、室内機１３１上方の空間も作業員の頭が入る程度の空間しか確保できない虞があるため、作業員の作業スペースは室内機１３１の前方および上方の空間のみであることが想定される。そのため後述するように、室内機１３１は容易に設置できるように、箱状にユニット化されて構成される。
【００８６】
図１３および図１４に基づき、室内機１３１の内部構造について説明する。図１３は、パネル前部１３２、パネル右部１３４およびパネル上部１３５を外した状態の室内機１３１の斜視図であり、図１４は室内機１３１の分解構成図である。なお図１３では、室内機１３１の下面を室内の床Ｆに面接触させ、かつ、室内機１３１の背面部を室内の壁Ｗに当接させるように、室内機１３１を設置している。
【００８７】
室内機１３１の底部をなす底板組立部１３７は、床Ｆの上に設置される。この底板組立部１３７の上に、２つの蓄電池モジュールＭＤＬ１，ＭＤＬ２（図１７参照）と、２つの蓄電池モジュールＭＤＬ３，ＭＤＬ４（何れも図示せず）をそれぞれ備える２つの電池ユニット１４１，１４１が設置され、その上方に、蓄電池制御ユニット３９などの電池システム４１の電気部品を備える電気部品ユニット１４２が配置される。個々の電池ユニット１４１は、何れも天板部１４１ａ、電池ユニット本体部１４１ｂ、下板部１４１ｃおよびカラー１４１ｄから構成されており、天板部１４１ａと下板部１４１ｃは略同一の大きさで、電池ユニット本体部１４１ｂの水平断面より一回り大きく形成される。
【００８８】
ここでは、下板部１４１ｃの四隅がいずれも直角に形成されるのに対し、天板部１４１ａは後方の２隅が直角に形成され、前方の２隅がＲ加工されている。そして、直角に形成された下板部１４１ｃの四隅および天板部１４１ａの２隅にはボルト用の孔部（図示せず）が形成され、下板部１４１ｃの後方２隅の孔部（図示せず）と天板部１４１ａの後方２隅の孔部（図示せず）との間に、２本のカラー１４１ｄがそれぞれ配置されている。カラー１４１ｄは中空の管状に形成されており、天板部１４１ａおよび下板部１４１ｃの孔部と、その間のカラー１４１ｄに、柄の長いボルト１４３が貫通し、共締めで底板組立部１３７に固定できるようになっている。また、下板部１４１ｃの前方２隅の孔部でも、柄の短いボルト１４４が貫通して底板組立部１３７に固定でき、下板部１４１ｃの４隅をボルト１４３，１４４で固定することにより、電池ユニット１４１を底板組立部１３７に固定するように構成している。
【００８９】
天板部１４１ａは、リード線通し用の開口部１４５を前部に有しており、壁Ｗの開口部ＷＯや床Ｆの開口部ＦＯを通して電池ユニット１４１に導かれるリード線や、電気部品ユニット１４２からのリード線は、この開口部１４５を通して電池ユニット１４１内の蓄電池モジュールＭＤＬ１〜ＭＤＬ４に配線されている。
【００９０】
電気部品ユニット１４２は略直方体形状であり、左右側面に突設された固定部１４２ａ，１４２ａを有している。これらの固定部１４２ａ，１４２ａをパネル左部１３３とパネル右部１３４に固定して電気部品ユニット１４２を吊設することにより、電気部品ユニット１４２が電池ユニット１４１，１４１の上方に配置される。また電気部品ユニット１４２は前面に、コネクタや、端子台や、スイッチなどが配置されたパネル部１４２ｂを有し、ここから壁Ｗの開口部ＷＯや床Ｆの開口部ＦＯを通して、室外に配線を引き出したり、開口部１４５を通して蓄電池モジュールＭＤＬ１〜ＭＤＬ４への配線を引き出したりする他、電気部品ユニット１４２の操作がパネル部１４２ｂを通して行なわれる。なお本実施例では、パネル部１４２ｂと開口部１４５が干渉しないように、パネル部１４２ｂは開口部１４５よりも奥に配置されるように構成される。パネル部１４２ｂ前方の空間は、電気部品ユニット１４２や蓄電池モジュールＭＤＬ１〜ＭＤＬ４への配線関連のリード線が多数存在することが想定されるので、パネル部１４２ｂと開口部１４５の間に配線用の空間を設けることが望ましく、また電気部品ユニット１４２がパネル左部１３３やパネル右部１３４に固定された状態で、柄の長いボルト１４３での電池ユニット１４１の固定作業ができるように、固定された状態の電気部品ユニット１４２の背面は、電池ユニット１４１を底板組立部１３７に固定した際の天板部１４１ａの後方２隅の孔部よりも前方に配置されることが望ましい。
【００９１】
図１５〜図１７に基づき、底板組立部１３７の構造について、さらに詳細に説明すると、底板組立部１３７は、底板下部１４７と底板上部１４８の二つの部分で構成される。底板下部１４７は、平板状の底板下部本体１４７ａと、底板下部本体１４７ａの左右の側縁部および後縁部を上方に折り曲げて形成されるフランジ部１４７ｂと、底板下部本体１４７ａの前縁部を上方に折り曲げて形成されたフランジ壁部１４７ｃと、左右のフランジ部１４７ｂに取り付けられてパネル左部１３３やパネル右部１３４を固定する４つのパネル取付板１３９を備え、室内機１３１の設置時に底板下部本体１４７ａが床Ｆに密着するように構成される。
【００９２】
底板上部１４８は、平板状に形成されて電池ユニット１４１の下板部１４１ｃ下面と密着する底板上部本体１４８ａと、底板組立部１３７に電池ユニット１４１を配置した際に、底板上部本体１４８ａと電池ユニット１４１を支持する電池ケース受け１４８ｂと、電池ユニット１４１の位置決め用の４つのフランジ部１４８ｃ，１４８ｃと、底板上部本体１４８ａの変形防止用の梁部１４８ｄ（図２０参照）と、底板上部本体１４８ａの前後左右の縁部を下方に折り曲げて形成されるフランジ部１４８ｅ（図２１参照）を、それぞれ備えている。本実施例の底板上部本体１４８ａは、四辺を下方向に折り曲げて、その折り曲げ部となるフランジ部１４８ｅの下縁が底板下部本体１４７ａと接触しており、これらの折り曲げ部１４８ｅの高さは後述する支持部１５１の高さと略同一になるように形成される。そして、折り曲げ部と、支持部１５１と、梁部１４８ｄで、底板組立部１３７に載せられる全ての電池ユニット１４１，１４１の重量を支えている。なお、底板上部本体１４８ａ上面は、電池ユニット１４１，１４１の設置性を考慮して摩擦が少ない方が好ましく、底板上部本体１４８ａを摺動しやすい材料で形成してもよい。
【００９３】
本実施例の電池ケース受け１４８ｂは、底板上部本体１４８ａにおける電池ユニット１４１の配置場所で開口することにより形成され、前後方向の寸法は電池ユニット本体部１４１ｂの前後方向の寸法と同程度であり、幅（左右）方向の寸法は電池ユニット本体部１４１ｂの幅方向の寸法の略半分である。また電池ケース受け１４８ｂは、この開口部の四辺を下方向に折り曲げて形成され、その下縁が底板下部本体１４７ａと接触する支持部１５１を有しており、開口部左辺および右辺の支持部１５１はＬ字形状に形成されて、下面で底板下部本体１４７ａと接触するように構成される。また支持部１５１は、底板下部本体１４７ａと面接触する部分に孔部（図示せず）を有しており、止着部材となる釘（またはネジ）１５２により底板下部本体１４７ａの対応する孔部（図示せず）と共締めされて床Ｆに固定することにより、底板下部１４７および底板上部１４８が床Ｆに設置される。
【００９４】
このように構成することにより、重量のある電池ユニット１４１（約40ｋｇｆ）を、底板組立部１３７の載置面である底板上部本体１４８ａに摺動させて、電池システム４１の所定位置に移動させる時に、底板上部本体１４８ａ上面と下板部１４１ｃ下面との接触面積を少なくして摩擦を減少させ、容易に電池ユニット１４１を摺動させることができる。また図１７に示すように、電池ユニット１４１を配置した時に、電池ユニット１４１の中でより重量のある部品である、例えば蓄電池モジュールＭＤＬ１，ＭＤＬ２の略中央下方に、開口部左辺および右辺の支持部１５１，１５１がそれぞれ位置するため、より確実に電池ユニット１４１を支持することができ、電池ユニット１４１が載せられる底板上部１４８の変形を防止することができる。
【００９５】
次に、図１８および図１９に基づき、室内機１３１への電池ユニット１４１の取り付け方法について説明する。上述したように作業員の作業スペースが室内機１３１の前方および上方の空間のみであるなど、室内機１３１の取付場所に制約や条件がある場合、重量がある電池ユニット１４１を作業員が持ち上げて底板組立部１３７に設置することが困難となる虞がある。そのため、本実施例の室内機１３１では、最初に底板上部本体１４８ａ前部に電池ユニット１４１の一部を載せ、それから電池ユニット１４１を所定の位置まで摺動させて所定位置に配置している。この時、底板下部１４７のフランジ部１４７ｂは、底板上部１４８を底板下部１４７と合わせるための位置決め部として機能することに加えて、電池ユニット１４１の幅方向の位置を決めて所定の位置まで導くガイド部としての機能も有している。図１８に示すように、底板上部本体１４８ａ前部に電池ユニット１４１の一部を載せた後、下板部１４１ｃ側辺部をフランジ部１４７ｂに接触させ、フランジ部１４７ｂに沿って前方から摺動させることにより、電池ユニット１４１を所定の位置までスムーズに移動させることができる。
【００９６】
電池ユニット１４１を所定位置まで移動させた後、電池ユニット１４１の前側を底板組立部１３７に固定するには、電池ユニット１４１の下板部１４１ｃの前方２隅の孔部を目視で確認しながら、ボルト１４４を締め付けることができる。しかし、底板組立部１３７に対する電池ユニット１４１の後側の固定は目視で確認できないため、電池ユニット１４１が確実に所定位置に配置されていないと、下板部１４１ｃの後方２隅の孔部と、対応する底板上部本体１４８ａの孔部が連通せず、ボルト１４３で固定できない。そこで本実施例では、底板上部本体１４８ａの後方に形成した孔部の間に、電池ユニット１４１の位置決め用の２つのフランジ部１４８ｃ，１４８ｃを上方向に設け、電池ユニット１４１の下板部１４１ｃに、フランジ部１４８ｃ，１４８ｃと対応する凸部１５５を設けて、電池ユニット１４１の前後方向の位置決めができるように構成している。
【００９７】
図１９に示すように、電池ユニット１４１を前方から後方に摺動させて、底板組立部１３７の所定位置にまで移動させると、電池ユニット１４１はフランジ部１４７ｂに沿って移動するので、移動中の幅方向の位置が自ずと定まり、下板部１４１ｃに形成した凸部１５５が、底板上部本体１４８ａのフランジ部１４８ｃ，１４８ｃの間にスムーズに挿入される。ここからさらに電池ユニット１４１を後方に押し込むと、下板部１４１ｃの後面がフランジ部１４８ｃ，１４８ｃに突き当たり、電池ユニット１４１の幅方向のみならず前後方向の位置決めがされる。この時、フランジ部１４８ｃ，１４８ｃは、電池ユニット１４１の幅方向の位置決め部として機能することに加えて、電池ユニット１４１の前後方向のストッパとしても機能している。このように構成することで、下板部１４１ｃの凸部１５５と、底板上部本体１４８ａのフランジ部１４８ｃ，１４８ｃとの組み合わせにより、電池ユニット１４１が前後方向と幅方向にそれぞれ位置決めされるため、当該位置決めされた場所で、下板部１４１ｃの前方２隅の孔部および天板部１４１ａの後方２隅の孔部に、ボルト１４３，１４４を上方から挿入して螺入することにより、電池ユニット１４１を底板組立部１３７に確実に固定できる。
【００９８】
図２０および図２１に基づき、底板組立部１３７の構造について、さらに詳細に説明する。上述したように、室外機１３１のパネル前部１３２は、パネル左部１３３およびパネル右部１３４にのみネジ１３８で固定して取り付けるため、パネル前部１３２の中央下を押した際に撓んでべこべこしないように、パネル前部１３２の下辺部を、Ｌ字形状に内側に折り曲げ形成して補強している。そのため、この折り曲げ部となるフランジ部１３２ａを、底板組立部１３７の下に挿入する必要があるが、底板下部本体１４７ａは床Ｆに密着している。
【００９９】
そこで図２０に示すように、本実施例では底板下部本体１４７ａの前部に断面逆Ｌ字形状の段差部１５６を形成し、フランジ部１３２ａを段差部１５６の下に挿入できるように構成している。段差部１５６の高さは、フランジ部１３２ａの上方向に折り返された折り返し端部よりも高く、また、前後方向の奥行き寸法は、フランジ部１３２ａの奥行方向の幅よりも大きく形成されており、フランジ部１３２ａが余裕をもって段差部１５６に挿入できるようになっている。ここでパネル前部１３２の内側面が、底板下部１４７の前部に形成されたフランジ壁部１４７ｃと当接することで、底板組立部１３７がパネル前部１３２を支持してさらに補強している。また、底板上部本体１４８ａの前辺に位置するフランジ部１４８ｅは、下方向に折り曲げられてその下縁が底板下部本体１４７ａと接触しているが、そこには段差部１５６が形成されている。したがって、フランジ部１４８ｅの折り曲げ高さは、底板上部本体１４８ａの他三辺に形成したフランジ部１４８ｅの折り曲げ高さと比較して、段差部１５６の高さ分だけ低く形成してもよい。
【０１００】
図２２に基づき、パネル取付板１３９の構造について、さらに詳細に説明する。パネル取付板１３９は前面視凹字形状に形成され、床Ｆの開口部ＦＯの幅に亘って設置される平板状のパネル取付板本体１３９ａと、パネル取付板本体１３９ａの一方の側面を上方向に折り曲げ、底板下部１４７のフランジ部１４７ｂと面接触する取付部１３９ｂと、パネル取付板本体１３９ａの他方の側面を上方向に折り曲げ、パネル左部１３３やパネル右部１３４を支持する支持部１３９ｃとで構成されている。
【０１０１】
パネル取付板１３９の取付部１３９ｂは、その中央にネジ挿入用の孔部１６１を有する一方で、両側辺に凸部１６２，１６２を折り曲げ形成しており、底板下部１４７の左辺と右辺に形成したフランジ部１４７ｂには、孔部１６１に対応して、止着部材となるネジ（図示せず）を螺入できる雌ネジ部１６３と、凸部１６２，１６２に対応して、これらの凸部１６２，１６２を挿入できる開口部１６４，１６４をそれぞれ有している。これにより、パネル取付板１３９の凸部１６２，１６２を、底板下部１４７の開口部１６４，１６４に挿入し、孔部１６１を貫通して雌ネジ部１６３とネジ（図示せず）を共締めすることで、パネル取付板本体１３９ａが常に水平になるように、パネル取付板１３９の取付部１３９ｂを底板下部１４７のフランジ部１４７ｂに面接触させて、安定した状態で固定することができる。
【０１０２】
上述したように、室内機１３１の取付場所に制約や条件がある場合、パネル左部１３３やパネル右部１３４は前方から摺動させて挿入され、パネル上部１３５の上方から挿入されるネジ１３８と、電気部品ユニット１４２の固定部１４２ａと、パネル取付板１３９の支持部１３９ｃとにより固定、支持されるが、パネル取付板１３９が水平に対して傾斜している場合、パネル取付板本体１３９ａが傾斜するため支持部１３９ｃも傾斜してしまい、前方からパネル左部１３３やパネル右部１３４を摺動させると、この支持部１３９ｃに干渉されてしまい、挿入できなくなってしまう。しかし、このように構成することにより、パネル取付板本体１３９ａが常に水平になるため、前方からパネル左部１３３やパネル右部１３４を摺動させても、この支持部１３９ｃに干渉されずに容易に挿入できる。なお、この時の凸部１６２，１６２は、パネル取付板本体１３９ａが水平になるようにパネル取付板１３９を上下方向に支持する支持部の機能に加えて、パネル取付板１３９を底板下部１４７のフランジ部１４７ｂに固定する位置を定める位置決めの機能も有している。
【０１０３】
図２３は、本実施例の変形例を示している。ここでのパネル取付板１３９は、前述のような前後一対に分割せずに前後一体に形成され、これらのパネル取付板１３９の間に棒状のフランジ部１６５を備えて構成されている。フランジ部１６５は、前方のパネル取付板１３９のパネル取付板本体１３９ａの後方支持部１３９ｃと、後方のパネル取付板１３９のパネル取付板本体１３９ａの前方支持部１３９ｃとの間に設けられており、フランジ部１６５の幅は、パネル取付板１３９を設置した際に床Ｆの開口部ＦＯと干渉しない程度が好ましい。それ以外は、上述した構成と共通する。
【０１０４】
本変形例でも、室内機１３１を取り付ける際に底板組立部１３７を床Ｆに固定するが、この時、底板組立部１３７の両側を持って移動、取付を行なう。その際にフランジ部１６５が板状であると、そのフランジ部１６５を自ずと手で持ってしまい、底板組立部１３７の重量でフランジ部１６５が変形してしまう。また、フランジ部１６５を板状にしてその幅を広く形成してしまうと、床Ｆの開口部ＦＯと干渉してしまい、開口部ＦＯからのリード線を通すことができなくなる虞がある。
【０１０５】
しかし、本変形例のようにフランジ部１６５を棒状とするか、さもなければフランジ部１６５を削除して、前述のようにパネル取付板１３９を前後一対に分割することにより、底板下部１４７のフランジ部１４７ｂとフランジ部１６５との間に手を入れて、或いは前後のパネル取付板１３９の間に手を入れて、底板組立部１３７の両側を持つことができるため、フランジ部１６５の変形を防止することができ、またフランジ部１６５と床Ｆの開口部ＦＯとが干渉するのを防止することができる。また、パネル取付板１３９がフランジ部１６５により前後一体に連結されていれば、底板組立部１３７のフランジ部１４７ｂにパネル取付板１３９を取り付け固定する作業を容易にできる。
【０１０６】
以上のように、本実施例の蓄電池システム１では、二次電池３８およびこれら制御する蓄電池制御ユニット３９などを備える電池システム４１を室内設備としての室内機１３１にし、電池システム４１は、家屋に固定する底板組立部１３７を電池システム４１下部に備え、当該底板組立部１３７は、底板下部１４７と底板上部１４８の二つの部分で構成されている。
【０１０７】
この場合、電池システム４１を室外設備とするのではなく、室内設備となる室内機１３１で構成することで、電池システム４１の屋外の設置スペースが不要になり、雨水および埃から電池システム４１を保護する必要がなくなるために、電池システム４１を除く室外設備の構造が簡素化できる。また、電池システム４１を屋内に設置するため、冷却ファンなどの作動音が屋外に漏れることを防止できる。さらに、底板組立部１３７を底板下部１４７と底板上部１４８との二構成とすることで、その上に電池システム４１を安定した状態で設置することができる。
【０１０８】
また本実施例の蓄電池システム１では、室内機１３１を設置する床Ｆに底板下部１４７を密着させ、底板上部１４８は、蓄電池モジュールＭＤＬ１〜ＭＤＬ４を備える電池ユニット１４１，１４１と密着させて、底板下部１４７と底板上部１４８を止着部材となる釘１５２により、共締めで床Ｆに固定させている。
【０１０９】
このように構成することでも、電池システム４１の屋外の設置スペースが不要になり、上述した作用効果が得られる。さらに釘１５２を利用して、底板下部１４７に底板上部１４８を取付け固定するのと同時に、底板組立部１３７が床Ｆに取付け固定されるので、
床Ｆに対する底板組立部１３７の設置作業を容易に行なうことができる。
【０１１０】
また本実施例の蓄電池システム１では、底板下部１４７および底板上部１４８の床Ｆへの固定位置、すなわち底板上部１４８に形成した支持部１５１，１５１は、電池ユニット１４１，１４１の下方に設けている。
【０１１１】
このように構成することでも、電池システム４１の屋外の設置スペースが不要になり、上述した作用効果が得られる。さらに、電池ユニット１４１の直下に支持部１５１が位置するため、より確実に電池ユニット１４１を支持することができ、電池ユニット１４１が載せられる底板上部１４８の変形を防止できる。
【０１１２】
また本実施例の蓄電池システム１では、底板下部１４７の両側に、底板下部本体１４７ａの左右の側縁部を上方に折り曲げて形成され、電池ユニット１４１を沿わせて前方から摺動させることにより導くフランジ部１４７ｂを備えて構成される。
【０１１３】
そのため、室内機１３１の取付場所に制約や条件がある場合であっても、確実に電池ユニット１４１を所定の位置までスムーズに移動させることができる。
【０１１４】
また本実施例の蓄電池システム１では、底板組立部１３７の底板上部１４８後方に、電池ユニット１４１の最終的な位置決め部として、ストッパ用のフランジ部１４８ｃ，１４８ｃを備えて構成される。
【０１１５】
これにより、電池ユニット１４１を摺動させて、電池ユニット１４１が底板組立部１３７のフランジ部１４８ｃ，１４８ｃに突き当たるまで、電池ユニット１４１を摺動させると、そこで底板組立部１３７に対する電池ユニット１４１の最終的な位置決めがなされるので、室内機１３１の取付場所に制約や条件がある場合であっても、確実に電池ユニット１４１を底板組立部１３７の所定の位置に合せることが可能となる。
【０１１６】
また本実施例の蓄電池システム１では、底板組立部１３７の前側となる底板下部本体１４７ａの前部に、パネル前部１３２の下辺部として折り曲げ形成されるフランジ部１３２ａを挿入する段差部１５６を備えて構成される。
【０１１７】
そのため、パネル前部１３２の中央を押した際に撓んでべこべこしないように、パネル前部１３２の下辺部を、Ｌ字形状に内側に折り曲げ形成したフランジ部１３２ａで補強できる。また、このフランジ部１３２ａを段差部１５６に挿入することで、フランジ部１３２ａが邪魔にならないように、室内機１３１の外装体となるパネル前部１３２を底板組立部１３７に取り付けることができる。
【０１１８】
また本実施例の蓄電池システム１では、底板組立部１３７の両側面を形成するフランジ部１４７ｂ，１４７ｂに、パネル左部１３３やパネル右部１３４を支持するためのパネル取付板１３９が取り付けられ、またパネル取付板１３９の凸部１６２，１６２を挿入できる位置決め用の開口部１６４，１６４を、フランジ部１４７ｂ，１４７ｂに形成して構成される。
【０１１９】
そのため、パネル取付板１３９の凸部１６２，１６２を、底板下部１４７の開口部１６４，１６４に挿入して取付け固定することで、パネル取付板１３９が常に水平となるように位置決めされるため、前方からパネル左部１３３やパネル右部１３４を摺動させても、この支持部１３９ｃに干渉されずに容易に挿入できる。
【０１２０】
また本実施例の蓄電池システム１では、パネル取付板１３９は前側と後側の２つに分割され、左右合わせて４つ備えて構成される。
【０１２１】
そのため、底板組立部１３７を床Ｆに固定する場合に、底板組立部１３７の両側を持つことができ、パネル取付板１３９の変形を防止することができる。また、底板組立部１３７の両側で、パネル取付板１３９と床Ｆの開口部ＦＯが干渉するのを防止することができる。
【実施例３】
【０１２２】
本発明の蓄電池システムの第３実施例について、図２４〜図２７を参照してその構成を説明する。ここでの蓄電池システム１は、複数の立ち上げ部１７２を有する二次電池支え下部１７１と、二次電池取付板上前部１８１ａおよび二次電池取付板上後部１８１ｂからなる二次電池取付部１８１とにより、二次電池３８を構成する蓄電池モジュールＭＤＬ１〜ＭＤＬ６を上下で固定する構成を採用している。立ち上げ部１７２は、二次電池３８を収容する蓄電池盤７の前列と後列に並べられ、当該前列と後列において、立ち上げ部１７２は前後方向に同一直線状に位置付けられ、二次電池取付板上前部１８１ａおよび二次電池取付板上後部１８１ｂにも、二次電池支え下部１７１の立ち上げ部１７２と同形状の立ち上げ部１７２を設けている。そして、二次電池支え下部１７１、二次電池取付板上前部１８１ａおよび二次電池取付板上後部１８１ｂの立ち上げ部１７２に、何れも凸部１７３を設ける構成により、蓄電池モジュールＭＤＬ１〜ＭＤＬ６の長手方向を立てた状態で蓄電池盤７に組み込んでいる。
【０１２３】
従来、蓄電池盤７内の蓄電池モジュールＭＤＬ１〜ＭＤＬ６は、長手方向を寝かせて組み込んでいた。しかし、蓄電池盤７のコスト削減および小型化を行なう必要があり、そのため蓄電池盤７内の蓄電池モジュールＭＤＬ１〜ＭＤＬ６は、長手方向を立てて蓄電池盤７に組み込んでいるが、蓄電池モジュールＭＤＬ１〜ＭＤＬ６の取り付け性や取り付け後の安定性に難があった。
【０１２４】
そこで本実施例では、蓄電池モジュールＭＤＬ１〜ＭＤＬ６を上下で固定する板金部品として、二次電池支え下部１７１、二次電池取付板上前部１８１ａおよび二次電池取付板上後部１８１ｂを備え、これらの板金部品に凸部１７３を設けた立ち上げ部１７２を備えた構成とすることで、蓄電池モジュールＭＤＬ１〜ＭＤＬ６の取付作業性や取り付け後の蓄電池モジュールＭＤＬ１〜ＭＤＬ６の安定性の向上を図っている。
【０１２５】
図２４および図２５ａ〜図２５ｄに基づき、本実施例での蓄電池盤７の内部構造について説明する。ここで図２４は、前パネル１０３を外した状態で、全ての蓄電池モジュールＭＤＬ１〜ＭＤＬ６を電池収容部１１４に収容したときの蓄電池盤７内部の斜視図である。また図２５ａは、単独の二次電池支え下部１７１の斜視図であり、図２５ｂは、蓄電池モジュールＭＤＬ１〜ＭＤＬ６を配置した状態の二次電池支え下部１７１の斜視図であり、図２５ｃは、単独の二次電池支え下部１７１の平面図であり、図２５ｄは、蓄電池モジュールＭＤＬ１〜ＭＤＬ６を配置した状態の二次電池支え下部１７１の平面図である。なお、明細書中や図中の用語「機体」は、蓄電池盤７の機体のことを示している。
【０１２６】
蓄電池盤７の内部は、第１実施例と同様に上側に電気部品収納部１１３、下側に二次電池３８の蓄電池モジュールＭＤＬ１〜ＭＤＬ６が収容される電池収容部１１４を備えるが、同一形状の蓄電池モジュールＭＤＬ１〜ＭＤＬ６が、長手方向を立てて横方向に３列、前後２列に並べられて蓄電池盤７に組み込まれている。具体的には、蓄電池盤７の下パネル１０２に相当する底板１７０は、蓄電池モジュールＭＤＬ１〜ＭＤＬ６が配置される板金部品としての二次電池支え下部１７１を主要部品として備えており、この二次電池支え下部１７１は、６対で１２個の立ち上げ部１７２，１７２…を有している。
【０１２７】
左右１対の立ち上げ部１７２，１７２の幅は、それぞれ蓄電池モジュールＭＤＬ１〜ＭＤＬ６の幅寸法と略同一に形成されており、二次電池支え下部１７１上面の前列に３対で６個の立ち上げ部１７２，１７２…が設置され、また二次電池支え下部１７１上面の後列に３対で６個の立ち上げ部１７２，１７２…が設置される。これらの６対１２個の立ち上げ部１７２，１７２…は、前列と後列において同一直線上に位置しており、蓄電池モジュールＭＤＬ１〜ＭＤＬ６を二次電池支え下部１７１に配置した際に、それぞれの蓄電池モジュールＭＤＬ１〜ＭＤＬ６の両側面下部を、１対の立ち上げ部１７２，１７２が支持するように設置されている。
【０１２８】
また、それぞれの立ち上げ部１７２毎に、蓄電池モジュールＭＤＬ１〜ＭＤＬ６側へ突出する前後２つの凸部１７３（図２６（ｃ）参照）を設けて構成されている。このような構成により、立ち上げ部１７２，１７２が、蓄電池モジュールＭＤＬ１〜ＭＤＬ６を二次電池支え下部１７１に設置する際のガイド部として機能し、後方の列に配置される蓄電池モジュールＭＤＬ４〜ＭＤＬ６を、二次電池支え下部１７１上面において蓄電池盤７の機体手前から摺動させて、所定の位置にまでスムーズに移動させて取り付けることができるようになる。また凸部１７３により、蓄電池モジュールＭＤＬ１〜ＭＤＬ６と立ち上げ部１７２，１７２…との接触面積を小さくでき、両者間の摩擦が減ることにより、より小さな力で蓄電池モジュールＭＤＬ１〜ＭＤＬ６を摺動させることが可能になり、蓄電池モジュールＭＤＬ１〜ＭＤＬ６の電池取付作業性の向上が図れるようになる。
【０１２９】
二次電池支え下部１７１は、機体後側の後辺部に臨んで３つのフランジ部１７４を有し、また蓄電池モジュールＭＤＬ４〜ＭＤＬ６を配置した後に、これらの蓄電池モジュールＭＤＬ４〜ＭＤＬ６の前面下部を支持する中央支持部１７５と、蓄電池モジュールＭＤＬ１〜ＭＤＬ３を配置した後に、これらの蓄電池モジュールＭＤＬ１〜ＭＤＬ３の前面下部を支持する前面支持部１７６を有して構成されている。３つのフランジ部１７４は、後方の列に配置される蓄電池モジュールＭＤＬ４〜ＭＤＬ６を二次電池支え下部１７１上に配置した際に、それぞれの蓄電池モジュールＭＤＬ４〜ＭＤＬ６の後面下部を支持するように設置される。
【０１３０】
このような構成により、フランジ部１７４が蓄電池モジュールＭＤＬ４〜ＭＤＬ６の位置決めおよびストッパとして機能し、蓄電池盤７の機体手前から、蓄電池モジュールＭＤＬ４〜ＭＤＬ６をフランジ部１７４に当接するまで立ち上げ部１７２，１７２に沿って摺動させることで、蓄電池モジュールＭＤＬ４〜ＭＤＬ６の前後方向の位置決めができるようになっている。また、蓄電池モジュールＭＤＬ４〜ＭＤＬ６がフランジ部１７４に当接する位置に配置された後に、３つの中央支持部１７５を二次電池支え下部１７１に固定することで、それぞれの蓄電池モジュールＭＤＬ４〜ＭＤＬ６が、下部の四方で支持される。なお本実施例では、中央支持部１７５は蓄電池モジュールＭＤＬ４〜ＭＤＬ６の設置数に合せて３つ設けているが、これらを横方向に全部接続した一続きの中央支持部１７５としてもよい。
【０１３１】
中央支持部１７５を二次電池支え下部１７１に固定した後、前方の列に配置される蓄電池モジュールＭＤＬ１〜ＭＤＬ３を、二次電池支え下部１７１上面において蓄電池盤７の機体手前から摺動させ、所定の位置にまで移動させて取り付ける。この時、立ち上げ部１７２，１７２がガイド部として機能し、また中央支持部１７５は、蓄電池モジュールＭＤＬ４〜ＭＤＬ６の支持部として機能すると共に、蓄電池モジュールＭＤＬ１〜ＭＤＬ３の位置決め部および支持部としても機能する。そして、蓄電池モジュールＭＤＬ１〜ＭＤＬ３が支持部１７５に当接することにより、所定の位置に配置された後、蓄電池モジュールＭＤＬ１〜ＭＤＬ３の前面下部を支持する前面支持部１７６を二次電池支え下部１７１に固定することにより、それぞれの蓄電池モジュールＭＤＬ１〜ＭＤＬ３が、下部の四方で支持される。
【０１３２】
図２６ａ〜図２６ｃに基づき、本実施例の板金部品である二次電池取付板１８１について説明する。ここで図２６ａは、単独の二次電池取付部１８１の斜視図であり、図２６ｂは、蓄電池モジュールＭＤＬ１〜ＭＤＬ６を配置した状態の二次電池支え下部１７１および二次電池取付部１８１の斜視図であり、図２６ｃは立ち上げ部１７２の要部拡大図である。
【０１３３】
二次電池取付板１８１は、二次電池取付板上前部１８１ａおよび二次電池取付板上後部１８１ｂから構成される。二次電池取付板上前部１８１ａは前パネル１０３に取り付けられ、二次電池取付板上後部１８１ｂは後パネル１０４に取り付けられる。また、二次電池取付板上前部１８１ａおよび二次電池取付板上後部１８１ｂは、二次電池支え下部１７１と同様に、３対で６個の立ち上げ部１７２，１７２…をそれぞれ有している。二次電池支え下部１７１、二次電池取付板上前部１８１ａおよび二次電池取付板上後部１８１ｂの立ち上げ部１７２は全て同一形状であり、したがって、それぞれの立ち上げ部１７２毎に前後２つの凸部１７３が設けられる。このように構成することで、これら３種類の板金において同一の金型とすることができ、コスト削減へと繋げることができる。
【０１３４】
二次電池取付板上後部１８１ｂは、電池収容部１１４の内部で、蓄電池モジュールＭＤＬ４〜ＭＤＬ６を二次電池支え下部１７１に配置する前に、予め電池収容部１１４の上部に取り付けられるもので、二次電池取付板上後部１８１ｂに設けた立ち上げ部１７２は、二次電池支え下部１７１のものと同様に、後方の列に配置される蓄電池モジュールＭＤＬ４〜ＭＤＬ６のガイド部として機能し、また蓄電池モジュールＭＤＬ４〜ＭＤＬ６の両側面上部の支持部としても機能している。ここでの二次電池取付板上後部１８１ｂは、立ち上げ部１７２を下方に突出して取付けるための平板状の上後部本体１８２と、二次電池取付板上後部１８１ｂを電池収容部１１４に取り付けるために、上後部本体１８２の前後縁部を上方向に折り曲げたフランジ部１８３とを有して構成される。
【０１３５】
二次電池取付板上前部１８１ａは、電池収容部１１４の内部で、蓄電池モジュールＭＤＬ１〜ＭＤＬ６の下部を全て支持した後に、蓄電池盤７の機体手前から蓄電池モジュールＭＤＬ１〜ＭＤＬ３の上部に取り付けられるもので、二次電池取付板上前部１８１ａに設けた立ち上げ部１７２は、蓄電池モジュールＭＤＬ１〜ＭＤＬ３の両側面上部の支持部として機能している。二次電池取付板上前部１８１ａも二次電池取付板上後部１８１ｂと同様に、立ち上げ部１７２を下方に突出して取付けるための平板状の上前部本体１８４と、二次電池取付板上前部１８１ａを電池収容部１１４に取り付けるために、上前部本体１８４の前縁部を下方向に、後縁部を上方向に折り曲げたフランジ部１８５とを有して構成される。
【０１３６】
以上のように本実施例では、二次電池支え下部１７１と二次電池支え上部となる二次電池取付部１８１とにより、二次電池３８を構成する複数の蓄電池モジュールＭＤＬ１〜ＭＤＬ６を、縦置きの状態で上下に固定する蓄電池システム１であって、二次電池支え下部１７１と、二次電池取付部１８１の上前部となる二次電池取付板上前部１８１ａおよび上後部となる二次電池取付板上後部１８１ｂに、蓄電池モジュールＭＤＬ１〜ＭＤＬ６を個々に支持する何れも同形状の複数の支持片となる立ち上げ部１７２を配設し、立ち上げ部１７２は蓄電池モジュールＭＤＬ１〜ＭＤＬ６の設置方向に沿って前列と後列に並べられ、さらに蓄電池モジュールＭＤＬ１〜ＭＤＬ６の側面に接する凸部１７３を、それぞれの立ち上げ部１７２に設けている。
【０１３７】
この場合、蓄電池モジュールＭＤＬ１〜ＭＤＬ６の長手方向を立てた状態で、蓄電池盤７に組み込むことができ、さらに立ち上げ部１７２，１７２がガイド部として、後方の列に配置される蓄電池モジュールＭＤＬ４〜ＭＤＬ６を、二次電池支え下部１７１上面において蓄電池盤７の機体手前から摺動させて、所定の位置にまで移動させて取り付けることができるようになる。また凸部１７３により蓄電池モジュールＭＤＬ１〜ＭＤＬ６と立ち上げ部１７２との間の摩擦が減らすことができ、より小さな力で蓄電池モジュールＭＤＬ１〜ＭＤＬ６を摺動させることが可能になり、蓄電池モジュールＭＤＬ１〜ＭＤＬ６の電池取付作業性の向上が図れるようになる。
【０１３８】
図２７および図２８ａ〜図２８ｃは、本実施例の変形例を示している。ここで図２７は、前パネル１０３を外した状態で、全ての蓄電池モジュールＭＤＬ１〜ＭＤＬ６を電池収容部１１４に収容したときの蓄電池盤７内部の斜視図である。また図２８ａは、単独の二次電池支え下部１７１’の斜視図であり、図２８ｂは、単独の二次電池支え下部１７１’の平面図であり、図２８ｃは、二次電池支え下部１７１’および下パネル１０２に相当する底板１７０を下方から見た分解斜視図である。
【０１３９】
本変形例における二次電池支え下部１７１’は、前列と後列の立ち上げ部１７２を一体化した３対６個の立ち上げ部１７２’とし、それぞれの１対の立ち上げ部１７２’の前側の先端部分同士を広げた幅広部１７５を形成しており、１対の立ち上げ部１７２’，１７２’で前方と後方の２列に配置される２つの蓄電池モジュール、すなわち蓄電池モジュールＭＤＬ１，ＭＤＬ６と、蓄電池モジュールＭＤＬ２，ＭＤＬ５と、蓄電池モジュールＭＤＬ３，ＭＤＬ４とを、それぞれ長手方向に立てた状態で支持している。また幅広部１７５は、それぞれの１対の立ち上げ部１７２’の機体前側の先端部分同士をハ字状に広げて形成され、蓄電池盤７の機体手前から蓄電池モジュールＭＤＬ１〜ＭＤＬ６を摺動させる際に、それぞれの蓄電池モジュールＭＤＬ１〜ＭＤＬ６を一対の立ち上げ部１７２’間に容易に導ける構成としている。
【０１４０】
なお本変形例において、１つの立ち上げ部１７２’に設けられる凸部１７３の数は４つであり、凸部１７３の位置は、第３実施例のものと略同一の位置になるように構成されている。このように構成することでも、立ち上げ部１７２’，１７２’がガイド部として機能し、後方の列に配置される蓄電池モジュールＭＤＬ４〜ＭＤＬ６を、二次電池支え下部１７１’上面において蓄電池盤７の機体手前から摺動させて、所定の位置にまで移動させて取り付けることができるようになる。また蓄電池モジュールＭＤＬ１〜ＭＤＬ６の取付開始時に、幅広部１７５を利用して蓄電池モジュールＭＤＬ１〜ＭＤＬ６を立ち上げ部１７２’間に自ずと導くことができ、蓄電池盤７内部に蓄電池モジュールＭＤＬ１〜ＭＤＬ６を円滑に組み込むことが可能になる。
【０１４１】
また、本変形例の二次電池支え下部１７１’は、平板状に形成されて蓄電池モジュールＭＤＬ１〜ＭＤＬ６の下面部と密着する下部本体１９１と、二次電池支え下部１７１’に蓄電池モジュールＭＤＬ１〜ＭＤＬ６を配置した際に、蓄電池モジュールＭＤＬ１〜ＭＤＬ６の荷重を支える３つの二次電池支持部１９２と、下部本体１９１の四辺を下方に折り曲げて形成されるフランジ部１９３と、を備えている。
【０１４２】
二次電池支持部１９２は、３対の立ち上げ部１７２’に対応して、下部本体１９１における蓄電池モジュールＭＤＬ１，ＭＤＬ６と、蓄電池モジュールＭＤＬ２，ＭＤＬ５と、蓄電池モジュールＭＤＬ３，ＭＤＬ４の各配置場所である３箇所で開口し、この開口部１７６の一側を下方向に折り曲げて形成される。またここでは、二次電池支え下部１７１’を底板１７０上に取り付けた際に、二次電池支持部１９２の下端が底板１７０の上面に突き当たり、蓄電池モジュールＭＤＬ１〜ＭＤＬ６の下方でその荷重を支えるように構成される。二次電池支え下部１７１’の取付け作業性を向上させるために、左側に位置する二次電池支持部１９２は、開口部１７６の左外側に向けて折り曲げ形成され、右側に位置する二次電池支持部１９２は、開口部１７６の右外側に向けて折り曲げ形成される。
【０１４３】
また、下部本体１９１の側面に形成されるフランジ部１９３は、断面Ｌ字形状に形成されて機体の外側方向に折り曲げられ、フランジ部１９３の折り曲げ部分は底板１７０上面と面接触して、折り曲げ部分の側縁部が底板１７０の内側上面の側縁部と略同一の位置になるように構成される。そして、これらの断面Ｌ字形状のフランジ部１９３と二次電池支持部１９２とにより、６つの蓄電池モジュールＭＤＬ１〜ＭＤＬ６の重量を支えている。
【０１４４】
このように構成することにより、二次電池支え下部１７１’の下部本体１９１が撓むことを防止して、取付後の蓄電池モジュールＭＤＬ１〜ＭＤＬ６の安定性を向上させることができる。また、同一の板金部品から下部本体１９１と二次電池支持部１９２を形成しており、下部本体１９１と二次電池支持部１９２が一体化しているため、二次電池支え下部１７１’とは別に蓄電池モジュールＭＤＬ１〜ＭＤＬ６の重量を支える板金部品を必要とする構成と比べて、コストを削減することができる。さらに、二次電池支え下部１７１’を底板１７０に取り付ける時は、フランジ部１９３の折り曲げ部分の側縁部と底板１７０内側上面の側縁部とを合わせれば位置合わせできるため、蓄電池盤７の組立性が向上する。
【０１４５】
以上のように本変形例の蓄電池システム１では、蓄電池盤７の機体前側において、二次電池支え下部１７１’の立ち上げ部１７２の先端部分を広げた構造として幅広部１７５を形成している。
【０１４６】
この場合、二次電池３８となる蓄電池モジュールＭＤＬ１〜ＭＤＬ６の取付開始時に、円滑に立ち上げ部１７２’間に蓄電池モジュールＭＤＬ１〜ＭＤＬ６を組み込むことが可能となり、二次電池支え下部１７１’への蓄電池モジュールＭＤＬ１〜ＭＤＬ６の取付け作業性が向上する。
【０１４７】
また、本変形例の蓄電池システム１では、二次電池支え下部１７１’の下側、すなわち二次電池支え下部１７１’と底板１７０との間に、二次電池支え下部１７１’に載せられる蓄電池モジュールＭＤＬ１〜ＭＤＬ６の荷重を支える部分をとして、二次電池支持部１９２や、二次電池支え下部１７１’側辺側のフランジ部１９３を設けて構成される。
【０１４８】
この場合、二次電池支え下部１７１’の下部本体１９１が、蓄電池モジュールＭＤＬ１〜ＭＤＬ６の荷重で撓むのを防止して、取付後の蓄電池モジュールＭＤＬ１〜ＭＤＬ６の安定性を向上させることができる。
【０１４９】
また、本変形例の蓄電池システム１では、蓄電池モジュールＭＤＬ１〜ＭＤＬ６の荷重を支える二次電池支持部１９２が、二次電池支え下部１７１’の蓄電池モジュールＭＤＬ１〜ＭＤＬ６の配置場所である３箇所で開口し、この開口部分を下方向に折り曲げて、板金部品である底板１７０に突き当てる構成とし、二次電池支え下部１７１’の下部本体１９１と二次電池支持部１９２が一体化している。
【０１５０】
そのため、下部本体１９１が撓むことを防止して、取付後の蓄電池モジュールＭＤＬ１〜ＭＤＬ６の安定性を向上させることができる。また二次電池支え下部１７１’とは別に、蓄電池モジュールＭＤＬ１〜ＭＤＬ６の重量を支える板金部品を必要とする構成と比べて、コストを削減することができる。
【０１５１】
また、本変形例の蓄電池システム１では、蓄電池モジュールＭＤＬ１〜ＭＤＬ６の荷重を支える二次電池支持部１９２について、左側に位置する二次電池支持部１９２を、二次電池支持部１９２の左外側に向けて折り曲げ形成し、右側に位置する二次電池支持部１９２を、二次電池支持部１９２の右外側に向けて折り曲げ形成した構造としている。
【０１５２】
この場合、折り曲げられた左右の二次電池支持部１９２の内側に開口部１７６が形成されるので、組立作業者が支障なく開口部１７６に手を通して二次電池支え下部１７１’を持つことが可能となり、底板１７０への二次電池支え下部１７１’の取付け作業を容易にできる。
【０１５３】
さらに、本変形例の蓄電池システム１では、蓄電池モジュールＭＤＬ１〜ＭＤＬ６の重量を支持する部分の機体の左右２箇所である両側辺部において、二次電池支え下部１７１’側辺側のフランジ部１９３が、それぞれ機体の左右外側方向に折り曲げられる構成としている。
【０１５４】
したがって、フランジ部１９３の折り曲げ部分の側縁部と底板１７０内側上面の側縁部とを合わせれば、二次電池支え下部１７１’と底板１７０との位置合わせができるため、底板１７０への二次電池支え下部１７１’の取付け作業をさらに容易にできる。
【実施例４】
【０１５５】
本発明の第４実施例に係る紙製のダンボールパレットについて、図２９〜図３２を参照して説明する。ここでのダンボールパレットは、上記各実施例における二次電池３８の輸送に使用されるものである。
【０１５６】
図２９は、本実施例におけるダンボールパレットの組立状態を示した図である。また図３０は、図２９のＸ部を拡大した図で、図２９のＸ’部、Ｘ’’部、Ｘ’’’部も同一構造を有する。これらの各図において、完成した組立形状のダンボールパレット２００は、ダンボールパレット２００の外形形状の基となる本体２０１と、ダンボールパレット２００の接地部をなす底板２０２と、図示しない二次電池３８の蓄電池モジュールＭＤＬ１〜ＭＤＬ６が個別に載置され、ダンボールパレット２００の耐撓み性を付加するための梁２０３と、を主な構成要素とする。本体２０１の材質は、安価な汎用材が用いられる一方で、本体２０１以外の底板２０２や梁２０３の材質は、高価な強化ダンボールが用いられる。強化ダンボールは、汎用材による一般のダンボールよりも高い強度の原紙を使用し、且つ少なくとも二層以上の多層構造で形成される。
【０１５７】
本体２０１は、その底面に底板２０２が固着される底壁２１１を有する。この底壁２１１は、平面視でダンボールパレット２００の長手方向の一側と他側に分かれて平面状に配置され、底壁２１１，２１１の間には中空の空間２１２が形成される。本体２０１は底壁２１１の他に、本体２０１の長手方向に沿って形成され、底壁２１１の端部から上方に向けて折曲げられる長手垂直フラップ２１４と、本体２０１の空間２１２に臨む内側短手方向に沿って形成され、底壁２１１の端部から上方向に向けて折曲げられる内側短手垂直フラップ２１５と、長手垂直フラップ２１４の中央部より内側水平方向に向けて折曲げられる水平フラップ２１６と、を有し、長手垂直フラップ２１４の上部には、本体２０１の長手方向の強度を高めるための梁２０３が固着される。また、長手垂直フラップ２１４の長手方向中央部には、内側短手垂直フラップ２１５と水平フラップ２１６をそれぞれ折曲げることにより、一方の長手垂直フラップ２１４から他方の長手垂直フラップ２１４に向けて貫通した開口部２１７が形成される。この開口部２１７は、図示しないフォークリフトの爪を挿入できる程度の大きさに形成されており、開口部２１７の下側は前述の空間２１２と連通している。なお２１８は、底壁２１１の上面に固着され、長手垂直フラップ２１４や内側短手垂直フラップ２１５を折曲げたときの突当て面を形成する補強材である。
【０１５８】
図３０に示すように、水平フラップ２１６の長手方向両端面には、内側短手垂直フラップ２１５に向けて突出する凸部２２１が形成され、内側短手垂直フラップ２１５の上端面には、凸部２２１が係合する凹部２２２が形成される。また、ダンボールパレット２００の外側短手方向には、底壁２１１から折曲げられたいわゆる外側短手垂直フラップが存在せず、代わりに開放した外側端面部２２４が形成される。本実施例では、凸部２２１と凹部２２２による凹凸形状の嵌合のみで、本体２０１を含むダンボールパレット２００全体が立体の組立形状に保持される構成となっている。
【０１５９】
図３１は、図２９に示すダンボールパレット２００の組立前の平面形状を示したものである。また図３２は、図３１のＹ部を拡大した図で、図３１のＹ’部、Ｙ’’部、Ｙ’’’部も同一構造を有する。図２９に示す本体２０１は、図３１に示す平面形状のシート２３１から立体形状に組み立てられる。
【０１６０】
図３１および図３２において、２３２は底壁２１１に対する長手垂直フラップ２１４の折曲げ部であり、２３３は底壁２１１に対する内側短手垂直フラップ２１５の折曲げ部であり、２３４は長手垂直フラップ２１４に対する水平フラップ２１６の折曲げ部である。また、何れも内側短手垂直フラップ２１５と水平フラップ２１６との間には、内側短手垂直フラップ２１５や水平フラップ２１６の折曲げ時に、お互いが擦れ合うことのないように、スリット状の逃がし開口２３６が形成される。この逃がし開口２３６は、長手垂直フラップ２１４と水平フラップ２１６との間の隙間２３７よりも、意図的に幅広く形成される。
【０１６１】
上記構成において、底板２０２と梁２０３と補強材２１８を、予め平面形状のシート２３１に取付け固定した状態から、組立形状のダンボールパレット２００を完成させるには、先ず折曲げ部２３２を中心に底壁２１１に対して長手垂直フラップ２１４を垂直方向に折曲げ、次に折曲げ部２３３を中心に底壁２１１に対して内側短手垂直フラップ２１５を垂直方向に折曲げてから、最後に折曲げ部２３４を中心に長手垂直フラップ２１４に対して水平フラップ２１６を水平方向内側に折曲げる。
【０１６２】
ここで、最初に長手垂直フラップ２１４を折曲げたときには、長手垂直フラップ２１４と共に水平フラップ２１６も折曲げ部２３２を中心として折曲げられるが、内側短手垂直フラップ２１５と水平フラップ２１６との間には、折曲げ部２３２の延長線上で幅広な逃がし開口２３６が形成されるため、水平フラップ２１６が内側短手垂直フラップ２１５の端部に擦れ合うことはない。次に、別な折曲げ部２３３を中心として、内側短手垂直フラップ２１５を折曲げたときにも、内側短手垂直フラップ２１５が水平フラップ２１６の内面に擦れ合うことはない。
【０１６３】
最後に、折曲げ部２３４を中心として、水平フラップ２１６をほぼ水平方向にまで折曲げると、水平フラップ２１６と内側短手垂直フラップ２１５が直交する箇所で、水平フラップ２１６に形成した凸部２２１が内側短手垂直フラップ２１５に形成した凹部２２２に嵌まり込む。すると、水平フラップ２１６が水平方向に保持され、この水平フラップ２１６を支えている長手垂直フラップ２１４も垂直方向に保持されると共に、水平フラップ２１６に嵌合する内側短手垂直フラップ２１５が垂直方向に保持され、完成したダンボールパレット２００が立体的な組立て形状に保持される。
【０１６４】
完成後のダンボールパレット２００は、ダンボールパレット２００の最上面を形成する梁２０３の上面に例えば蓄電池モジュールＭＤＬ１が個別に載せられるが、梁２０３は強化ダンボールにより変形することはない。また、長手垂直フラップ２１４の上部に取付け固定される梁２０３は、内側短手垂直フラップ２１５や水平フラップ２１６にも支えられるので、蓄電池モジュールＭＤＬ１から本体２０１への荷重が分散して、汎用材による本体２０１を含むダンボールパレット２００全体が潰れたり変形したりすることもない。
【０１６５】
ダンボールパレット２００には、長手垂直フラップ２１４および内側短手垂直フラップ２１５と、本体２０１の長手外側面をなす長手垂直フラップ２１４から内面方向に折曲がる水平フラップ２１６とにより、フォークリフトの爪を挿入するための開口部２１７が形成される。特に本実施例では、水平フラップ２１６が内面方向に曲がっているため、開口部２１７にフォークリフトの爪を差し入れて、蓄電池モジュールＭＤＬ１を載せたダンボールパレット２００を持ち上げたときに、フォークリフトの爪に接触する水平フラップ２１６が緩衝材としての役目を果たし、製品となる蓄電池モジュールＭＤＬ１への直接的な接触を防止できる。また、内側短手垂直フラップ２１５によって、開口部２１７に挿入した爪が内側短手垂直フラップ２１５に接触した場合も、そこから先の蓄電池モジュールＭＤＬ１への直接的な接触を防止できる。加えて、長手垂直フラップ２１４は、フォークリフトの爪が開口部２１７から逸れた場合に、蓄電池モジュールＭＤＬ１への直接的な接触を防止できる。
【０１６６】
ところで、従来から蓄電池運搬用のダンボールパレットの材質として、強化ダンボールが用いられてきた。また、ダンボールパレットの組立に際しては、ダンボールパレットを立体形状とするのにテープや、接着剤や、ホチキス（ステープラ）針などの保持部品を用いて固定する必要があり、リフターの爪を挿入する開口部は、製品となる蓄電池への爪の接触を防ぐフラップを備えていなかった。
【０１６７】
強化ダンボールは汎用のダンボールよりも高強度である半面、高価な材料であり、立体形状を形成するのに保持部品を別途使用することと併せて、コストアップの要因となっていた。加えて、開口部の壁面を保護するフラップが設けられていないことは、蓄電池への傷付きが懸念され、これらがダンボールパレットを使用する際の課題となっていた。こうした課題を解決するために、本実施例では材料コストの低減と、組立時における保持部品の削減および組立性の簡便化と、リフターと蓄電池が接触しない構造を有するダンボールパレット２００の一例を提案している。
【０１６８】
つまり本実施例では、ダンボールパレット２００の外形形状の基となる本体２０１を、一般ダンボールなどの安価な汎用材で形成する一方で、機能追加として防水性が必要とされ、ダンボールパレット２００の接地部をなす底板２０２と、ダンボールパレット２００の耐撓み性を付加するための梁２０３に、汎用材よりも高強度な強化ダンボールを部分的に使用している。
【０１６９】
この場合、耐久性や強度が必要とされる箇所として、底板２０２と梁２０３のみに強化ダンボールを使用し、その他の箇所である本体２０１には汎用材を使用することで、蓄電池モジュールＭＤＬ１を輸送するダンボールパレットとして、必要とされる耐水性と強度を有しながら、材料費のコストダウンを図ることが可能になる。
【０１７０】
また本実施例では、平面形状のシート２３１から立体的な本体２０１を組み立てる際に、垂直に折曲げられる垂直フラップとしての内側短手垂直フラップ２１５と、水平に折曲げられる水平フラップ２１６とを有し、内側短手垂直フラップ２１５と水平フラップ２１６が直交する箇所に凸部２２１と凹部２２２による凹凸形状を有して、この凹凸形状の嵌合のみで本体２０１の組立形状を立体的に保持するように構成している。
【０１７１】
この場合、平面形状のシート２３１から立体形状の本体２０１を組立てる際に、内側短手垂直フラップ２１５と水平フラップ２１６に設けた凹凸形状によって、別な形状保持部材を使用せずに、本体２０１の組立形状を立体的に保持できる。そのため、テープ貼りなどが不要で、保持部品を削減した簡便な組立てが可能となり、工数削減に寄与してコストダウンを図ることが可能になる。
【０１７２】
また本実施例では、組立形状のダンボールパレット２００が、その外側短手方向に垂直フラップを設けずに、開放した外側端面部２２４が形成され、フォークリフトの爪が挿抜可能な開口部２１７を、何れも本体２０１から折曲げ形成される長手垂直フラップ２１４と、内側短手垂直フラップ２１５と、水平フラップ２１６とにより構成している。
【０１７３】
これらのフラップ２１４，２１５，２１６より、フォークリフトの爪が製品である蓄電池モジュールＭＤＬ１に直接接触するのを防止して、蓄電池モジュールＭＤＬ１の保護を図ることが可能になる。また、フォークリフトの爪を開口部２１７に支障なく挿入することができ、ダンボールパレット２００を利用した蓄電池モジュールＭＤＬ１の運搬性を向上させることが可能となる。
【０１７４】
また本実施例では、本体２０１を組み立てる前の平面形状のシート２３１において、内側短手垂直フラップ２１５と水平フラップ２１６との間に、スリット状の逃がし開口２３６を備えている。
【０１７５】
この場合、平面形状のシート２３１から立体的な本体２０１を組立てる際に、内側短手垂直フラップ２１５や水平フラップ２１６を折曲げたときの擦れが無くなり、組立作業が容易になる。逃がし開口２３６は、そうした折曲げによる擦れが発生しない幅に形成するのが好ましい。
【実施例５】
【０１７６】
本発明の第５実施例に係る蓄電池システム１の充電部防水構造について、図３３および図３４を参照して説明する。また比較のために、従来の蓄電池システムの充電部防水構造を図３５および図３６に示す。
【０１７７】
図３３において、端子台（図示せず）を覆う端子台カバー２５１は、その下側に配線用貫通部となる開口部２５２を設けている。また、端子台が端子台カバー２５１と接触せず、端子台に接続する配線が開口部２５２を通して支障なく貫通できるように、端子台カバー２５１の内面２５３は、端子台の配設箇所から開口部２５２にかけて、ここには図示しない蓄電池盤７の右パネル１０５から外方に膨出している。端子台カバー２５１の内面２５３は、端子台カバー２５３を蓄電池盤７の右パネル１０５に装着したときに外部から見えなくなる面であり、その反対側の面は外部から見える外観面２５４となる（図３４を参照）。
【０１７８】
２５５は、充電部となる端子台への雨水の侵入を防ぐ対策として、端子台カバー２５１に配設される防水板である。この防水板２５５の内側には、端子台カバー２５１の開口部２５２と連通する配線用の貫通穴２５６が設けられる一方で、防水板２５５の外側には、端子台カバー２５１への溶接部分となる曲げ部２５７が設けられる。また、端子台カバー２５１の開口部２５２には、蓄電池盤７の右パネル１０５に密着する弾性部材としてのパッキン２６１が配設される。
【０１７９】
図３４は、端子台カバー２５１の開口部２５２周辺を拡大した図である。同図において、雨水に対する仕切りとなる防水板２５５は、曲げ部２５７の外面と端子台カバー２５１の内面２５３との重なり部２６２を溶接することで固着されるが、本実施例では、端子台カバー２５１と防水板２５５の板金合わせ部となる重なり部２６２が、端子台カバー２５１と防水板５５の下側端面に形成されないように、曲げ部２５７の先端を下向きにではなく上向きに折曲げ、且つ端子台カバー２５１の下側端面と防水板２５５の下側端面との間にパッキン２６１を介在させている。
【０１８０】
これを、従来の充電部防水構造を示した図３５および図３６と比較すると、端子台カバー２５１の構成は従来と本実施例で共通するが、従来の防水板２５５は曲げ部２５７の先端が下向きに折曲げられ、また曲げ部２５７に囲まれるように、パッキン２６１が防水板２５５に収容されており、端子台カバー２５１と防水板２５５との重なり部２６２は、端子台カバー２５１と防水板２５５の下側端面に臨んで形成される。そのため従来は、この下側端面から重なり部２６２への毛細管現象により、板金の重なり部２６２で雨水侵入および保水が起きてしまい、端子台カバー２５１や防水板２５５からの錆発生の要因となっていた。
【０１８１】
それに対して本実施例では、板金部品となる端子台カバー２５１に対して、別な板金部品である防水板２５５の曲げ部２５７を、端子台カバー２５１の下側端面とは反対側の上に向けて、曲げ部２５７と端子台カバー２５１とを溶接で固着する構成を採用している。そのため、防水板２５５本来の雨水侵入防止としての機能を損なうことなく、且つ端子台カバー２５１と防水板５５の下側端面に、板金合わせ部となる重なり部２６２を形成しないようにして、重なり部２６２での雨水侵入や保水を防ぐことが可能となる。
【０１８２】
なお、本発明は上記実施例に限定されるものではなく、本発明の趣旨を逸脱しない範囲で種々の変更可能である。例えば、第１の実施例〜第５の実施例の各部を組み合わせた蓄電池システムを構成してもよい。また、第１の実施例〜第５の実施例の各部の構成や形状は、図示したものに限定されず、適宜変更が可能である。
【符号の説明】
【０１８３】
１  蓄電池システム
３８  二次電池
４５  ファン（冷却手段）
８０  電源基板取付板（第１取付板）
８０ｃ  持ち手部
８０ｄ  爪部
８７  電気部品取付板（壁部、第２取付板）
１２２  電気部品取付板開口部（開口部）
１２８  第１電気部品（電気部品、冷却する部品）
１２９  第２電気部品（電気部品、それ以外の部品）
１３０  主回路基板組立
【図１】
2019079738.tif 000003
【図２】
2019079738.tif 000004
【図３】
2019079738.tif 000005
【図４】
2019079738.tif 000006
【図５】
2019079738.tif 000007
【図６】
2019079738.tif 000008
【図７】
2019079738.tif 000009
【図８】
2019079738.tif 000010
【図９】
2019079738.tif 000011
【図１０】
2019079738.tif 000012
【図１１】
2019079738.tif 000013
【図１２】
2019079738.tif 000014
【図１３】
2019079738.tif 000015
【図１４】
2019079738.tif 000016
【図１５】
2019079738.tif 000017
【図１６】
2019079738.tif 000018
【図１７】
2019079738.tif 000019
【図１８】
2019079738.tif 000020
【図１９】
2019079738.tif 000021
【図２０】
2019079738.tif 000022
【図２１】
2019079738.tif 000023
【図２２】
2019079738.tif 000024
【図２３】
2019079738.tif 000025
【図２４】
2019079738.tif 000026
【図２５ａ】
2019079738.tif 000027
【図２５ｂ】
2019079738.tif 000028
【図２５ｃ】
2019079738.tif 000029
【図２５ｄ】
2019079738.tif 000030
【図２６ａ】
2019079738.tif 000031
【図２６ｂ】
2019079738.tif 000032
【図２６ｃ】
2019079738.tif 000033
【図２７】
2019079738.tif 000034
【図２８ａ】
2019079738.tif 000035
【図２８ｂ】
2019079738.tif 000036
【図２８ｃ】
2019079738.tif 000037
【図２９】
2019079738.tif 000038
【図３０】
2019079738.tif 000039
【図３１】
2019079738.tif 000040
【図３２】
2019079738.tif 000041
【図３３】
2019079738.tif 000042
【図３４】
2019079738.tif 000043
【図３５】
2019079738.tif 000044
【図３６】
2019079738.tif 000045